(57)【特許請求の範囲】
【請求項１】
電子チケットをチケット購入者が利用する携帯用の端末装置にネットワークを介して送信し画面に表示させるチケット情報生成装置であって、
予め定められた計算方法による予め定められた答えを示す答え情報と、前記画面に表示される複数の乱数のうち当該計算方法による計算に用いられる乱数の前記画面上における表示位置を示す位置情報と、を記憶する記憶手段から、前記答え情報及び前記位置情報を取得する取得手段と、
前記端末装置から前記電子チケットの表示要求を示すチケット表示要求情報を受信するチケット表示要求受信手段と、
前記端末装置から前記チケット表示要求情報が受信されるたびに前記複数の乱数を決定する乱数決定手段であって、前記取得された位置情報が示す位置に表示される乱数を用いて前記計算方法による計算を行った場合に、その計算結果が前記取得された答え情報が示す答えと合うように、当該位置に表示される乱数を決定する乱数決定手段と、
前記電子チケットの表示画面を構成するチケット画面情報を、前記決定された複数の乱数が夫々予め定められた位置で前記画面に表示されるように生成するチケット画面情報生成手段と、
前記生成されたチケット画面情報をネットワークを介して前記端末装置に送信するチケット画面情報送信手段と、
を備えることを特徴とするチケット情報生成装置。
【請求項２】
請求項１に記載のチケット情報生成装置において、
前記チケット画面情報生成手段は、現在時刻を示す時刻情報が前記画面に表示されるように当該時刻情報を前記チケット画面情報に埋め込む時刻情報埋め込み手段を備え、
前記乱数決定手段は、前記位置情報が示す位置に表示される乱数と、前記時刻情報が示す時刻に含まれる時刻要素のうちの予め定められた時刻要素と、を用いて前記計算方法による計算を行った場合にその計算結果が前記答え情報が示す答えと合うように、当該乱数を決定することを特徴とするチケット情報生成装置。
【請求項３】
請求項１または請求項２に記載のチケット情報生成装置において、
前記記憶手段は、前記チケット画面情報送信手段が前記チケット画面情報を送信した送信回数を、前記チケット購入者毎に対応付けて記憶し、
前記チケット画面情報送信手段は、前記チケット画面情報を送信する都度前記送信回数を更新し、前記送信回数が予め定められた回数を超える場合には、該当する前記チケット購入者に対する前記チケット画面情報の送信を停止することを特徴とするチケット情報生成装置。
【請求項４】
請求項１乃至３の何れか１項に記載のチケット情報生成装置において、
前記乱数決定手段は、前記位置情報が示す位置に表示される乱数の予め定められた桁位置の数値を用いて前記計算方法による計算を行った場合にその計算結果が前記答え情報が示す答えと合うように、当該乱数を決定することを特徴とするチケット情報生成装置。
【請求項５】
請求項１乃至４の何れか１項に記載のチケット情報生成装置において、
前記記憶手段には、前記答え情報及び前記位置情報が、前記電子チケットが販売されるイベント毎に対応付けて記憶され、
前記乱数決定手段は、前記端末装置に送信すべき前記電子チケットが販売される前記イベントを特定し、当該イベントに対応する前記答え情報及び前記位置情報と前記計算方法に基づいて、前記位置情報が示す位置に表示される乱数を決定することを特徴とするチケット情報生成装置。
【請求項６】
請求項１乃至５の何れか１項に記載のチケット情報生成装置において、
管理者により設定された前記答え情報及び前記位置情報で、前記記憶手段に記憶された前記答え情報及び前記位置情報を変更する情報変更手段を更に備えることを特徴とするチケット情報生成装置。
【請求項７】
請求項１に記載のチケット情報生成装置において、
前記ネットワークを介してアクセスしてきた前記端末装置と、当該端末装置の使用契約上における使用者と、の少なくとも何れか一方に対して固有に付与された固有識別情報を当該アクセスに基づいて特定する識別情報特定手段と、
前記電子チケットの購入要求を示すチケット購入要求情報が前記チケット購入者の指令に基づいて前記端末装置から送信されてきたときに、当該チケット購入要求情報を受信するチケット購入要求受信手段と、
前記チケット購入要求情報を送信してきた前記端末装置に関して特定された前記固有識別情報を前記記憶手段に記憶させる固有識別情報記憶手段と、を更に備え、
前記チケット画面情報送信手段は、前記チケット表示要求情報を送信してきた前記端末装置に関して特定された前記固有識別情報が前記記憶手段に記憶されている場合に、当該端末装置に前記チケット画面情報を送信することを特徴とするチケット情報生成装置。
【請求項８】
請求項７に記載のチケット情報生成装置において、
前記チケット購入者により指定された転送先の電子メールアドレスを前記端末装置から受信するメールアドレス受信手段と、
前記受信された電子メールアドレスを前記記憶手段に記憶させるメールアドレス記憶手段と、
前記チケット画面情報へのリンクを示し、前記電子メールアドレスが付加されたリンク情報を含む電子メールを、当該電子メールアドレス宛に送信するメール送信手段と、を備え、
前記チケット表示要求受信手段は、前記電子メールを受信した前記端末装置からユーザが前記リンク情報を選択したことにより送信された、当該リンク情報を含む前記チケット表示要求情報を受信し、
前記固有識別情報記憶手段は、前記チケット表示要求情報に含まれる前記リンク情報に付加された前記電子メールアドレスが前記記憶手段に記憶されている場合に、前記特定された固有識別情報を当該電子メールアドレスに対応付けて前記記憶手段に記憶させることを特徴とするチケット情報生成装置。
【請求項９】
電子チケットをチケット購入者が利用する携帯用の端末装置にネットワークを介して送信し画面に表示させるチケット情報生成装置であって、
前記電子チケットの表示画面を構成するチケット画面情報を、複数の乱数が夫々予め定められた位置で前記画面に表示されるように、且つ、現在時刻を示す時刻情報が前記画面に表示されるように、生成するチケット画面情報生成手段と、
前記生成されたチケット画面情報をネットワークを介して前記端末装置に送信するチケット画面情報送信手段と、
予め定められた計算方法による予め定められた答えを示す答え情報と、前記複数の乱数のうち当該計算方法による計算に用いられる乱数の前記画面上における表示位置を示す位置情報と、を記憶する記憶手段と、を備え、
前記チケット画面情報生成手段は、前記複数の乱数のうち前記位置情報が示す位置に表示される乱数と、前記時刻情報が示す時刻に含まれる時刻要素のうちの予め定められた時刻要素と、を用いて前記計算方法による計算を行った場合にその計算結果が前記答え情報が示す答えと合うように、当該位置に表示される乱数を決定する乱数決定手段を備えることを特徴とするチケット情報生成装置。
【請求項１０】
電子チケットをチケット購入者が利用する携帯用の端末装置にネットワークを介して送信し画面に表示させるチケット情報生成装置に含まれるコンピュータにより実行されるチケット情報生成方法であって、
予め定められた計算方法による予め定められた答えを示す答え情報と、前記画面に表示される複数の乱数のうち当該計算方法による計算に用いられる乱数の前記画面上における表示位置を示す位置情報と、を記憶する記憶手段から、前記答え情報及び前記位置情報を取得する取得工程と、
前記端末装置から前記電子チケットの表示要求を示すチケット表示要求情報を受信するチケット表示要求受信工程と、
前記端末装置から前記チケット表示要求情報が受信されるたびに前記複数の乱数を決定する乱数決定工程であって、前記取得された位置情報が示す位置に表示される乱数を用いて前記計算方法による計算を行った場合に、その計算結果が前記取得された答え情報が示す答えと合うように、当該位置に表示される乱数を決定する乱数決定工程と、
前記電子チケットの表示画面を構成するチケット画面情報を、前記決定された複数の乱数が夫々予め定められた位置で前記画面に表示されるように生成するチケット画面情報生成工程と、
前記生成されたチケット画面情報をネットワークを介して前記端末装置に送信するチケット画面情報送信工程と、
を含むことを特徴とするチケット情報生成方法。
【請求項１１】
電子チケットをチケット購入者が利用する携帯用の端末装置にネットワークを介して送信し画面に表示させるチケット情報生成装置に含まれるコンピュータにより実行されるチケット情報生成方法であって、
予め定められた計算方法による予め定められた答えを示す答え情報と、前記画面に表示される複数の乱数のうち当該計算方法による計算に用いられる乱数の前記画面上における表示位置を示す位置情報と、を記憶する記憶手段から、前記答え情報及び前記位置情報を取得する取得工程と、
前記複数の乱数を決定する乱数決定工程であって、前記取得された位置情報が示す位置に表示される乱数と、現在時刻に含まれる時刻要素のうちの予め定められた時刻要素と、を用いて前記計算方法による計算を行った場合に、その計算結果が前記取得された答え情報が示す答えと合うように、当該位置に表示される乱数を決定する乱数決定工程と、
前記電子チケットの表示画面を構成するチケット画面情報を、前記決定された複数の乱数が夫々予め定められた位置で前記画面に表示されるように、且つ、前記現在時刻を示す時刻情報が前記画面に表示されるように、生成するチケット画面情報生成工程と、
前記生成されたチケット画面情報をネットワークを介して前記端末装置に送信するチケット画面情報送信工程と、
を含むことを特徴とするチケット情報生成方法。
【請求項１２】
電子チケットをチケット購入者が利用する携帯用の端末装置にネットワークを介して送信し画面に表示させるチケット情報生成装置に含まれるコンピュータを、
予め定められた計算方法による予め定められた答えを示す答え情報と、前記画面に表示される複数の乱数のうち当該計算方法による計算に用いられる乱数の前記画面上における表示位置を示す位置情報と、を記憶する記憶手段から、前記答え情報及び前記位置情報を取得する取得手段、
前記端末装置から前記電子チケットの表示要求を示すチケット表示要求情報を受信するチケット表示要求受信手段、
前記端末装置から前記チケット表示要求情報が受信されるたびに前記複数の乱数を決定する乱数決定手段であって、前記取得された位置情報が示す位置に表示される乱数を用いて前記計算方法による計算を行った場合に、その計算結果が前記取得された答え情報が示す答えと合うように、当該位置に表示される乱数を決定する乱数決定手段、
前記電子チケットの表示画面を構成するチケット画面情報を、前記決定された複数の乱数が夫々予め定められた位置で前記画面に表示されるように生成するチケット画面情報生成手段、
前記生成されたチケット画面情報をネットワークを介して前記端末装置に送信するチケット画面情報送信手段、
として機能させることを特徴とするチケット情報生成処理プログラム。
【請求項１３】
電子チケットをチケット購入者が利用する携帯用の端末装置にネットワークを介して送信し画面に表示させるチケット情報生成装置に含まれるコンピュータを、
予め定められた計算方法による予め定められた答えを示す答え情報と、前記画面に表示される複数の乱数のうち当該計算方法による計算に用いられる乱数の前記画面上における表示位置を示す位置情報と、を記憶する記憶手段から、前記答え情報及び前記位置情報を取得する取得手段、
前記複数の乱数を決定する乱数決定手段であって、前記取得された位置情報が示す位置に表示される乱数と、現在時刻に含まれる時刻要素のうちの予め定められた時刻要素と、を用いて前記計算方法による計算を行った場合に、その計算結果が前記取得された答え情報が示す答えと合うように、当該位置に表示される乱数を決定する乱数決定手段、
前記電子チケットの表示画面を構成するチケット画面情報を、前記決定された複数の乱数が夫々予め定められた位置で前記画面に表示されるように、且つ、前記現在時刻を示す時刻情報が前記画面に表示されるように、生成するチケット画面情報生成手段、
前記生成されたチケット画面情報をネットワークを介して前記端末装置に送信するチケット画面情報送信手段、
として機能させることを特徴とするチケット情報生成処理プログラム。
【請求項１４】
チケット購入者が利用する携帯用の端末装置と、当該端末装置がネットワークを介してアクセス可能なチケット情報生成装置と、を備えるチケット情報生成システムであって、
前記チケット情報生成装置は、
予め定められた計算方法による予め定められた答えを示す答え情報と、前記画面に表示される複数の乱数のうち当該計算方法による計算に用いられる乱数の前記画面上における表示位置を示す位置情報と、を記憶する記憶手段から、前記答え情報及び前記位置情報を取得する取得手段と、
前記端末装置から前記電子チケットの表示要求を示すチケット表示要求情報を受信するチケット表示要求受信手段と、
前記端末装置から前記チケット表示要求情報が受信されるたびに前記複数の乱数を決定する乱数決定手段であって、前記取得された位置情報が示す位置に表示される乱数を用いて前記計算方法による計算を行った場合に、その計算結果が前記取得された答え情報が示す答えと合うように、当該位置に表示される乱数を決定する乱数決定手段と、
前記電子チケットの表示画面を構成するチケット画面情報を、前記決定された複数の乱数が夫々予め定められた位置で前記画面に表示されるように生成するチケット画面情報生成手段と、
前記生成されたチケット画面情報をネットワークを介して前記端末装置に送信するチケット画面情報送信手段と、を備え、
前記端末装置は、
前記チケット購入者の指令に基づいて、前記チケット表示要求情報を前記チケット情報生成装置に送信するチケット表示要求送信手段と、
前記チケット情報生成装置から送信された前記チケット画面情報を受信するチケット画面情報受信手段と、
前記受信されたチケット画面情報に基づいて、夫々定められた位置で表示される前記複数の乱数を含む前記電子チケットを前記画面に表示させるチケット表示手段と、
を備えることを特徴とするチケット情報生成システム。
【請求項１５】
チケット購入者が利用する携帯用の端末装置と、当該端末装置がネットワークを介してアクセス可能なチケット情報生成装置と、を備えるチケット情報生成システムであって、
前記チケット情報生成装置は、
前記電子チケットの表示画面を構成するチケット画面情報を、複数の乱数が夫々予め定められた位置で前記画面に表示されるように、且つ、現在時刻を示す時刻情報が前記画面に表示されるように、生成するチケット画面情報生成手段と、
前記生成されたチケット画面情報をネットワークを介して前記端末装置に送信するチケット画面情報送信手段と、
予め定められた計算方法による予め定められた答えを示す答え情報と、前記複数の乱数のうち当該計算方法による計算に用いられる乱数の前記画面上における表示位置を示す位置情報と、を記憶する記憶手段と、を備え、
前記チケット画面情報生成手段は、前記複数の乱数のうち前記位置情報が示す位置に表示される乱数と、前記時刻情報が示す時刻に含まれる時刻要素のうちの予め定められた時刻要素と、を用いて前記計算方法による計算を行った場合にその計算結果が前記答え情報が示す答えと合うように、当該位置に表示される乱数を決定する乱数決定手段を備え、
前記チケット購入者の指令に基づいて、前記チケット表示要求情報を前記チケット情報生成装置に送信するチケット表示要求送信手段と、
前記チケット情報生成装置から送信された前記チケット画面情報を受信するチケット画面情報を受信するチケット画面情報受信手段と、
前記受信されたチケット画面情報に基づいて、夫々定められた位置で表示される前記複数の乱数と、前記時刻情報と、を含む前記電子チケットを前記画面に表示させるチケット表示手段と、
を備えることを特徴とするチケット情報生成システム。
【発明の詳細な説明】
【技術分野】
【０００１】
本発明は、電子チケットの購入者が利用する携帯用端末装置に電子チケットを送信して画面に表示させるためのチケット情報生成装置、チケット情報生成方法、チケット情報生成処理プログラム及びチケット情報生成システムの技術分野に関する。
【背景技術】
【０００２】
従来、パーソナルコンピュータや携帯電話機等を用いて、電子チケット販売サイト等のＷｅｂサイトを通じて、コンサート、映画、遊園地等の入場や、交通機関の乗車の際に用いられるチケットを購入可能とするチケット販売システムが知られている。
【０００３】
かかるシステムの中には、購入者に対する紙製のチケットの送付に代えて、購入者が利用する携帯電話機等の携帯用端末装置に電子チケットを送信し、その電子チケットの画像を携帯用端末装置の画面に表示させ、これを係員に見せることによって入場や乗車を可能とさせるシステムも存在する。
【０００４】
デジタルデータである電子チケットは偽造や複製がしやすいことから、入場や乗車の際に、画面に表示された電子チケットの真贋を判断することができるような技術が必要となる。その一方で、画面に表示された電子チケットの画像等を解析して真贋を判定する装置をイベントの開催場所等に設置するとなると、その装置の費用や設置作業を要することとなる。
【０００５】
こうしたことから、特別な装置を用いることなく電子チケットの真贋を判断することができるシステムが要望されている。
【０００６】
例えば、特許文献１には、可視ＩＤとイベントに関連するホログラムの画像とを含む電子チケットを、購入したユーザの携帯電話機に送信し、その電子チケットを画面に表示して、係員がその可視ＩＤと画像とを目視で確認することにより、電子チケットの有効／無効を識別する技術が開示されている。
【特許文献１】特開２００３−１８７２７２号公報
【発明の開示】
【発明が解決しようとする課題】
【０００７】
しかしながら、特許文献１には、電子チケットは容易に複製不可能な画像を表示する旨が記載されているが、具体的に複製を困難とするための技術は何ら開示されていない。たとえホログラム画像であってもデジタルデータである以上、偽造や複製は可能である。そして、ホログラム画像が偽造されたものであるか否かを目視で判断することは難しい。
【０００８】
また、購入したユーザから見ると、可視ＩＤは、対象のイベントに関しては不変の識別情報となるため、同じ可視ＩＤの電子チケットを偽造されてしまうと、もはやその真贋を目視で判断することができないという問題がある。
【０００９】
本発明は、以上の点に鑑みてなされたものであり、電子チケットの真贋を目視でもより確実に判断することができるチケット情報生成装置、チケット情報生成方法、チケット情報生成処理プログラム及びチケット情報生成システムを提供することを目的とする。
【課題を解決するための手段】
【００１０】
上記課題を解決するために、請求項１に記載の発明は、電子チケットをチケット購入者が利用する携帯用の端末装置にネットワークを介して送信し画面に表示させるチケット情報生成装置であって、予め定められた計算方法による予め定められた答えを示す答え情報と、前記画面に表示される複数の乱数のうち当該計算方法による計算に用いられる乱数の前記画面上における表示位置を示す位置情報と、を記憶する記憶手段から、前記答え情報及び前記位置情報を取得する取得手段と、前記端末装置から前記電子チケットの表示要求を示すチケット表示要求情報を受信するチケット表示要求受信手段と、前記端末装置から前記チケット表示要求情報が受信されるたびに前記複数の乱数を決定する乱数決定手段であって、前記取得された位置情報が示す位置に表示される乱数を用いて前記計算方法による計算を行った場合に、その計算結果が前記取得された答え情報が示す答えと合うように、当該位置に表示される乱数を決定する乱数決定手段と、前記電子チケットの表示画面を構成するチケット画面情報を、前記決定された複数の乱数が夫々予め定められた位置で前記画面に表示されるように生成するチケット画面情報生成手段と、前記生成されたチケット画面情報をネットワークを介して前記端末装置に送信するチケット画面情報送信手段と、を備えることを特徴とする。
【００１１】
この発明によれば、チケット画面情報に基づいて携帯用端末装置の画面に電子チケットが表示されるが、このとき、複数の乱数が夫々対応する位置に表示される。ここで、画面に表示された複数の乱数のうち、位置情報が示す位置に表示された乱数を用いて予め定められた計算方法による計算を行うと、その計算結果は予め定められた答えに合う。
【００１２】
そこで、電子チケットを確認する係員が、前記計算に用いられる乱数の位置及び答えを知っていれば、電子チケットを確認するときに、前記計算方法による計算をするだけで、電子チケットの真贋を判断することができる。なぜなら、計算結果が予め定められた答えに合う場合には、電子チケットは基本的に本物ということとなり、計算結果が予め定められた答えと合わない場合には、電子チケットは偽物であるということとなるからである。
【００１４】
また、この発明によれば、画面に表示される複数の乱数は、携帯用電話機がチケット画面情報を受信する度に変化するが、計算に用いられる乱数の位置と、その計算方法と、求められるべき答えは変わらないから、係員は、同じように計算を行い、電子チケットの真贋を判断することができる。その一方で、一度画面に表示された電子チケットと同一の内容の電子チケットをユーザが偽造して画面に表示させたとしても、係員は、電子チケットを再表示させることにより、再表示の前に表示されていた電子チケットの表示内容と、再表示させた電子チケットの表示内容とが同じであれば、その電子チケットは偽造されたものと判断することができる。
【００１６】
請求項２に記載の発明は、請求項１に記載のチケット情報生成装置において、前記チケット画面情報生成手段は、現在時刻を示す時刻情報が前記画面に表示されるように当該時刻情報を前記チケット画面情報に埋め込む時刻情報埋め込み手段を備え、前記乱数決定手段は、前記位置情報が示す位置に表示される乱数と、前記時刻情報が示す時刻に含まれる時刻要素のうちの予め定められた時刻要素と、を用いて前記計算方法による計算を行った場合にその計算結果が前記答え情報が示す答えと合うように、当該乱数を決定することを特徴とする。
【００１７】
請求項３に記載の発明は、請求項１または請求項２に記載のチケット情報生成装置において、前記記憶手段は、前記チケット画面情報送信手段が前記チケット画面情報を送信した送信回数を、前記チケット購入者毎に対応付けて記憶し、前記チケット画面情報送信手段は、前記チケット画面情報を送信する都度前記送信回数を更新し、前記送信回数が予め定められた回数を超える場合には、該当する前記チケット購入者に対する前記チケット画面情報の送信を停止することを特徴とする。
【００１８】
この発明によれば、ユーザが、予め定められた回数を超えてチケット画面情報を受信し電子チケットを画面に表示させようとした場合には、例えば、そのユーザが表示内容を解析して電子チケットの真贋の判断規則を解読する意思がある可能性があるので、こうした解読等を防止することができる。
【００１９】
請求項４に記載の発明は、請求項１乃至３の何れか１項に記載のチケット情報生成装置において、前記乱数決定手段は、前記位置情報が示す位置に表示される乱数の予め定められた桁位置の数値を用いて前記計算方法による計算を行った場合にその計算結果が前記答え情報が示す答えと合うように、当該乱数を決定することを特徴とする。
【００２０】
この発明によれば、計算に用いられる情報が、位置情報が示す位置に表示された乱数の予め定められた桁位置の数値に限定されるので、係員は、より簡単に素早く電子チケットの真贋を判断することができる。
【００２１】
請求項５に記載の発明は、請求項１乃至４の何れか１項に記載のチケット情報生成装置において、前記記憶手段には、前記答え情報及び前記位置情報が、前記電子チケットが販売されるイベント毎に対応付けて記憶され、前記乱数決定手段は、前記端末装置に送信すべき前記電子チケットが販売される前記イベントを特定し、当該イベントに対応する前記答え情報及び前記位置情報と前記計算方法に基づいて、前記位置情報が示す位置に表示される乱数を決定することを特徴とする。
【００２２】
この発明によれば、計算に用いられる乱数の表示位置と答えとを、イベント毎に変えることができるので、電子チケットの真贋の判断規則の解読を困難にすることができる。
【００２３】
請求項６に記載の発明は、請求項１乃至５の何れか１項に記載のチケット情報生成装置において、管理者により設定された前記答え情報及び前記位置情報で、前記記憶手段に記憶された前記答え情報及び前記位置情報を変更する情報変更手段を更に備えることを特徴とする。
【００２４】
この発明によれば、例えば、電子チケットの真贋の判断規則が第三者に知られたような場合でも、計算に用いられる乱数の表示位置と答えとを変更することで、安全性を保つことができる。
【００２５】
請求項７に記載の発明は、請求項１に記載のチケット情報生成装置において、前記ネットワークを介してアクセスしてきた前記端末装置と、当該端末装置の使用契約上における使用者と、の少なくとも何れか一方に対して固有に付与された固有識別情報を当該アクセスに基づいて特定する識別情報特定手段と、前記電子チケットの購入要求を示すチケット購入要求情報が前記チケット購入者の指令に基づいて前記端末装置から送信されてきたときに、当該チケット購入要求情報を受信するチケット購入要求受信手段と、前記チケット購入要求情報を送信してきた前記端末装置に関して特定された前記固有識別情報を前記記憶手段に記憶させる固有識別情報記憶手段と、を更に備え、前記チケット画面情報送信手段は、前記チケット表示要求情報を送信してきた前記端末装置に関して特定された前記固有識別情報が前記記憶手段に記憶されている場合に、当該端末装置に前記チケット画面情報を送信することを特徴とする。
【００２６】
この発明によれば、例えば、携帯電話機等の、チケット情報生成装置にアクセスしただけで携帯用端末装置に関する固有な識別情報を特定することができるような場合には、予め特別な識別情報の登録を行はなくても、ユーザが購入した電子チケットを必要なときに画面に表示させることができるので、ユーザの負担を軽減させることができる。
【００２７】
請求項８に記載の発明は、請求項７に記載のチケット情報生成装置において、前記チケット購入者により指定された転送先の電子メールアドレスを前記端末装置から受信するメールアドレス受信手段と、前記受信された電子メールアドレスを前記記憶手段に記憶させるメールアドレス記憶手段と、前記チケット画面情報へのリンクを示し、前記電子メールアドレスが付加されたリンク情報を含む電子メールを、当該電子メールアドレス宛に送信するメール送信手段と、を備え、前記チケット表示要求受信手段は、前記電子メールを受信した前記端末装置からユーザが前記リンク情報を選択したことにより送信された、当該リンク情報を含む前記チケット表示要求情報を受信し、前記固有識別情報記憶手段は、前記チケット表示要求情報に含まれる前記リンク情報に付加された前記電子メールアドレスが前記記憶手段に記憶されている場合に、前記特定された固有識別情報を当該電子メールアドレスに対応付けて前記記憶手段に記憶させることを特徴とする。
【００２８】
この発明によれば、例えば、チケット購入者が他者の代理で購入したような場合には、その他者の電子メールアドレスを指定することで、電子チケットを表示させるための電子メールが当該他者宛に送信されるので、代理でチケット購入者に電子チケットを購入させた他者が、自己の使用する携帯用端末装置の画面に電子チケットを表示させることができる。
請求項９に記載の発明は、電子チケットをチケット購入者が利用する携帯用の端末装置にネットワークを介して送信し画面に表示させるチケット情報生成装置であって、前記電子チケットの表示画面を構成するチケット画面情報を、複数の乱数が夫々予め定められた位置で前記画面に表示されるように、且つ、現在時刻を示す時刻情報が前記画面に表示されるように、生成するチケット画面情報生成手段と、前記生成されたチケット画面情報をネットワークを介して前記端末装置に送信するチケット画面情報送信手段と、予め定められた計算方法による予め定められた答えを示す答え情報と、前記複数の乱数のうち当該計算方法による計算に用いられる乱数の前記画面上における表示位置を示す位置情報と、を記憶する記憶手段と、を備え、前記チケット画面情報生成手段は、前記複数の乱数のうち前記位置情報が示す位置に表示される乱数と、前記時刻情報が示す時刻に含まれる時刻要素のうちの予め定められた時刻要素と、を用いて前記計算方法による計算を行った場合にその計算結果が前記答え情報が示す答えと合うように、当該位置に表示される乱数を決定する乱数決定手段を備えることを特徴とする。
この発明によれば、チケット画面情報に基づいて携帯用端末装置の画面に電子チケットが表示されるが、このとき、複数の乱数が夫々対応する位置に表示される。ここで、画面に表示された複数の乱数のうち、位置情報が示す位置に表示された乱数を用いて予め定められた計算方法による計算を行うと、その計算結果は予め定められた答えに合う。
そこで、電子チケットを確認する係員が、前記計算に用いられる乱数の位置及び答えを知っていれば、電子チケットを確認するときに、前記計算方法による計算をするだけで、電子チケットの真贋を判断することができる。なぜなら、計算結果が予め定められた答えに合う場合には、電子チケットは基本的に本物ということとなり、計算結果が予め定められた答えと合わない場合には、電子チケットは偽物であるということとなるからである。
また、この発明によれば、予め定められた計算方法による計算に、時刻情報が示す時、分及び秒の時刻要素のうち予め定められた時刻要素が用いられるので、より確実に電子チケットの真贋を判断することができる。
【００２９】
請求項１０に記載の発明は、電子チケットをチケット購入者が利用する携帯用の端末装置にネットワークを介して送信し画面に表示させるチケット情報生成装置に含まれるコンピュータにより実行されるチケット情報生成方法であって、予め定められた計算方法による予め定められた答えを示す答え情報と、前記画面に表示される複数の乱数のうち当該計算方法による計算に用いられる乱数の前記画面上における表示位置を示す位置情報と、を記憶する記憶手段から、前記答え情報及び前記位置情報を取得する取得工程と、前記端末装置から前記電子チケットの表示要求を示すチケット表示要求情報を受信するチケット表示要求受信工程と、前記端末装置から前記チケット表示要求情報が受信されるたびに前記複数の乱数を決定する乱数決定工程であって、前記取得された位置情報が示す位置に表示される乱数を用いて前記計算方法による計算を行った場合に、その計算結果が前記取得された答え情報が示す答えと合うように、当該位置に表示される乱数を決定する乱数決定工程と、前記電子チケットの表示画面を構成するチケット画面情報を、前記決定された複数の乱数が夫々予め定められた位置で前記画面に表示されるように生成するチケット画面情報生成工程と、前記生成されたチケット画面情報をネットワークを介して前記端末装置に送信するチケット画面情報送信工程と、を含むことを特徴とする。
請求項１１に記載の発明は、電子チケットをチケット購入者が利用する携帯用の端末装置にネットワークを介して送信し画面に表示させるチケット情報生成装置に含まれるコンピュータにより実行されるチケット情報生成方法であって、予め定められた計算方法による予め定められた答えを示す答え情報と、前記画面に表示される複数の乱数のうち当該計算方法による計算に用いられる乱数の前記画面上における表示位置を示す位置情報と、を記憶する記憶手段から、前記答え情報及び前記位置情報を取得する取得工程と、前記複数の乱数を決定する乱数決定工程であって、前記取得された位置情報が示す位置に表示される乱数と、現在時刻に含まれる時刻要素のうちの予め定められた時刻要素と、を用いて前記計算方法による計算を行った場合に、その計算結果が前記取得された答え情報が示す答えと合うように、当該位置に表示される乱数を決定する乱数決定工程と、前記電子チケットの表示画面を構成するチケット画面情報を、前記決定された複数の乱数が夫々予め定められた位置で前記画面に表示されるように、且つ、前記現在時刻を示す時刻情報が前記画面に表示されるように、生成するチケット画面情報生成工程と、前記生成されたチケット画面情報をネットワークを介して前記端末装置に送信するチケット画面情報送信工程と、を含むことを特徴とする。
【００３０】
請求項１２に記載の発明は、電子チケットをチケット購入者が利用する携帯用の端末装置にネットワークを介して送信し画面に表示させるチケット情報生成装置に含まれるコンピュータを、予め定められた計算方法による予め定められた答えを示す答え情報と、前記画面に表示される複数の乱数のうち当該計算方法による計算に用いられる乱数の前記画面上における表示位置を示す位置情報と、を記憶する記憶手段から、前記答え情報及び前記位置情報を取得する取得手段、前記端末装置から前記電子チケットの表示要求を示すチケット表示要求情報を受信するチケット表示要求受信手段、前記端末装置から前記チケット表示要求情報が受信されるたびに前記複数の乱数を決定する乱数決定手段であって、前記取得された位置情報が示す位置に表示される乱数を用いて前記計算方法による計算を行った場合に、その計算結果が前記取得された答え情報が示す答えと合うように、当該位置に表示される乱数を決定する乱数決定手段、前記電子チケットの表示画面を構成するチケット画面情報を、前記決定された複数の乱数が夫々予め定められた位置で前記画面に表示されるように生成するチケット画面情報生成手段、前記生成されたチケット画面情報をネットワークを介して前記端末装置に送信するチケット画面情報送信手段、として機能させることを特徴とする。
請求項１３に記載の発明は、電子チケットをチケット購入者が利用する携帯用の端末装置にネットワークを介して送信し画面に表示させるチケット情報生成装置に含まれるコンピュータを、予め定められた計算方法による予め定められた答えを示す答え情報と、前記画面に表示される複数の乱数のうち当該計算方法による計算に用いられる乱数の前記画面上における表示位置を示す位置情報と、を記憶する記憶手段から、前記答え情報及び前記位置情報を取得する取得手段、前記複数の乱数を決定する乱数決定手段であって、前記取得された位置情報が示す位置に表示される乱数と、現在時刻に含まれる時刻要素のうちの予め定められた時刻要素と、を用いて前記計算方法による計算を行った場合に、その計算結果が前記取得された答え情報が示す答えと合うように、当該位置に表示される乱数を決定する乱数決定手段、前記電子チケットの表示画面を構成するチケット画面情報を、前記決定された複数の乱数が夫々予め定められた位置で前記画面に表示されるように、且つ、前記現在時刻を示す時刻情報が前記画面に表示されるように、生成するチケット画面情報生成手段、前記生成されたチケット画面情報をネットワークを介して前記端末装置に送信するチケット画面情報送信手段、として機能させることを特徴とする。
【００３１】
請求項１４に記載の発明は、チケット購入者が利用する携帯用の端末装置と、当該端末装置がネットワークを介してアクセス可能なチケット情報生成装置と、を備えるチケット情報生成システムであって、前記チケット情報生成装置は、予め定められた計算方法による予め定められた答えを示す答え情報と、前記画面に表示される複数の乱数のうち当該計算方法による計算に用いられる乱数の前記画面上における表示位置を示す位置情報と、を記憶する記憶手段から、前記答え情報及び前記位置情報を取得する取得手段と、前記端末装置から前記電子チケットの表示要求を示すチケット表示要求情報を受信するチケット表示要求受信手段と、前記端末装置から前記チケット表示要求情報が受信されるたびに前記複数の乱数を決定する乱数決定手段であって、前記取得された位置情報が示す位置に表示される乱数を用いて前記計算方法による計算を行った場合に、その計算結果が前記取得された答え情報が示す答えと合うように、当該位置に表示される乱数を決定する乱数決定手段と、前記電子チケットの表示画面を構成するチケット画面情報を、前記決定された複数の乱数が夫々予め定められた位置で前記画面に表示されるように生成するチケット画面情報生成手段と、前記生成されたチケット画面情報をネットワークを介して前記端末装置に送信するチケット画面情報送信手段と、を備え、前記端末装置は、前記チケット購入者の指令に基づいて、前記チケット表示要求情報を前記チケット情報生成装置に送信するチケット表示要求送信手段と、前記チケット情報生成装置から送信された前記チケット画面情報を受信するチケット画面情報受信手段と、前記受信されたチケット画面情報に基づいて、夫々定められた位置で表示される前記複数の乱数を含む前記電子チケットを前記画面に表示させるチケット表示手段と、を備えることを特徴とする。
請求項１５に記載の発明は、チケット購入者が利用する携帯用の端末装置と、当該端末装置がネットワークを介してアクセス可能なチケット情報生成装置と、を備えるチケット情報生成システムであって、前記チケット情報生成装置は、前記電子チケットの表示画面を構成するチケット画面情報を、複数の乱数が夫々予め定められた位置で前記画面に表示されるように、且つ、現在時刻を示す時刻情報が前記画面に表示されるように、生成するチケット画面情報生成手段と、前記生成されたチケット画面情報をネットワークを介して前記端末装置に送信するチケット画面情報送信手段と、予め定められた計算方法による予め定められた答えを示す答え情報と、前記複数の乱数のうち当該計算方法による計算に用いられる乱数の前記画面上における表示位置を示す位置情報と、を記憶する記憶手段と、を備え、前記チケット画面情報生成手段は、前記複数の乱数のうち前記位置情報が示す位置に表示される乱数と、前記時刻情報が示す時刻に含まれる時刻要素のうちの予め定められた時刻要素と、を用いて前記計算方法による計算を行った場合にその計算結果が前記答え情報が示す答えと合うように、当該位置に表示される乱数を決定する乱数決定手段を備え、前記チケット購入者の指令に基づいて、前記チケット表示要求情報を前記チケット情報生成装置に送信するチケット表示要求送信手段と、前記チケット情報生成装置から送信された前記チケット画面情報を受信するチケット画面情報を受信するチケット画面情報受信手段と、前記受信されたチケット画面情報に基づいて、夫々定められた位置で表示される前記複数の乱数と、前記時刻情報と、を含む前記電子チケットを前記画面に表示させるチケット表示手段と、を備えることを特徴とする。
【発明の効果】
【００３２】
本発明によれば、電子チケットの表示画面に表示された複数の乱数のうち、位置情報が示す位置に表示された乱数を用いて予め定められた計算方法による計算を行った結果が、予め定められた答えに合う場合には、電子チケットは基本的に本物ということとなる一方、予め定められた答えと合わない場合には、電子チケットは偽物であるということとなるので、電子チケットの真贋を目視で確実に判断することができる。
【発明を実施するための最良の形態】
【００３３】
以下、図面を参照して本発明の最良の実施形態について詳細に説明する。なお、以下に説明する実施の形態は、電子チケットを販売し、携帯電話機に送信するための電子チケット販売システムに対して本発明を適用した場合の実施形態である。
【００３４】
［１．第１実施形態］
［１．１  電子チケット販売システムの構成及び機能概要］
先ず、第１実施形態に係る電子チケット販売システムＳの構成及び概要機能について、図１を用いて説明する。
【００３５】
図１は、第１実施形態に係る電子チケット販売システムＳの概要構成の一例を示す図である。
【００３６】
図１に示すように、電子チケット販売システムＳは、会員情報データベース１０１及びチケット情報データベース１０２を備えるチケット情報生成装置の一例としてのチケット販売処理サーバ１と、イベント管理端末３−ｊ（ｊ＝１，２・・・ｍ）と、携帯用の端末装置の一例としての携帯電話機４−ｋ（ｋ＝１，２・・・ｎ）と、を含んで構成されている。
【００３７】
チケット販売処理サーバ１と、イベント管理端末３−ｊ及び携帯電話機４−ｋとは、ネットワークＮＷを介して、例えば、通信プロトコルにＴＣＰ／ＩＰ等を用いて相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００３８】
このような構成の電子チケット販売システムＳにおいて、チケット販売処理サーバ１は、例えば、ネットワークＮＷを通じて各種のサービスを提供するサービス提供事業者により、電子チケットを販売するための電子チケット販売サイトを運営するために構築されたシステムである。
【００３９】
このサービス提供事業者は、コンサート、舞台、映画、スポーツ競技、遊戯施設、博物館、美術館その等のイベントを開催する企業（管理者の一例）からチケット販売処理サーバの販売を委託されている。なお、こうした企業を、「イベント開催者」と称する。
【００４０】
一般消費者であるユーザは、携帯電話機４−ｋを用いてチケット販売処理サーバ１にアクセスすることによって、所望のイベントの電子チケットを購入することができる。また、ユーザは、購入した電子チケットをチケット販売処理サーバ１から携帯電話機４−ｋにダウンロードさせ、これを画面に表示させ、この画面を対象のイベントの係員等に見せることにより、イベント会場に入場することなどができるようになっている。なお、本実施形態において、ユーザは、携帯電話機４−ｋを用いることによって本システムを利用可能であり、原則として、パーソナルコンピュータやＰＤＡ（Personal Digital Assistant）等を用いては本システムを利用することができないようになっている。
【００４１】
そして、本システムでは、電子チケットの偽造や複製等を防止するための仕組みを備えているが、その詳細については後述する。
【００４２】
会員情報データベース１０１には、サービス提供事業者が提供する各種サービスを利用可能なユーザに関する情報が登録されている。ユーザは、所定の登録手続を行うことにより会員となり、これによって、各種サービスを利用することが可能となっている。ただし、本実施形態においては、ユーザは会員登録をしていなくても、電子チケット販売サイトを利用して電子チケットを購入することができるようになっている。
【００４３】
また、チケット情報データベース１０２には、販売される電子チケットに関する情報、電子チケットの購入者に関する情報、イベント開催者に関する情報、電子チケットの販売履歴等の情報が登録されている。
【００４４】
そして、チケット販売処理サーバ１は、イベント管理端末３−ｊや携帯電話機４−ｋのリクエストに応じて、会員情報データベース１０１やチケット情報データベース１０２にアクセスしつつ、イベントに関する電子チケットを販売するための処理を行ったり、電子チケットを携帯電話機４−ｋの画面に表示させるための情報を生成して、これを携帯電話機４−ｋに送信するようになっている。
【００４５】
次に、イベント管理端末３−ｊは、イベント開催者により利用される端末装置であり、例えば、パーソナルコンピュータ等を適用することができる。そして、イベント管理端末３−ｊは、チケット販売処理サーバ１にアクセスして、Ｗｅｂページを取得し、画面に表示するようになっている。これにより、イベント開催者は、Ｗｅｂページを通じて、イベント等の設定を行ったり、販売履歴等の確認を行ったり、電子チケットを携帯電話機４−ｋの画面に表示させるための情報を設定することなどができるようになっている。このイベント管理端末３−ｊは、イベント開催者の本社や支店等に設置しても良いし、イベント会場等に設置しても良い。
【００４６】
次に、携帯電話機４−ｋは、チケット販売処理サーバ１にアクセスしてＷｅｂページ等を取得し、画面に表示するようになっている。これにより上述したように、ユーザは、Ｗｅｂページ等を通じて、電子チケットを購入したり、購入した電子チケットを画面に表示させたりすることができるようになっている。
【００４７】
なお、イベント管理端末３−ｊ及び携帯電話機４−ｋには、夫々所定のオペレーティングシステム、Ｗｅｂブラウザアプリケーション、電子メールアプリケーション等がインストールされている。
【００４８】
［１．２  電子チケットの真贋を判断するための手法］
次に、電子チケット販売システムＳにおいて、携帯電話４−ｋの画面に表示された電子チケットの真贋を判断するための手法について、図２乃至図４を用いて説明する。
【００４９】
図２は、携帯電話機４−ｋの画面に表示されるチケットページ２００の一例を示す図である。また、図３及び図４は、電子チケットの真贋を判断する方法の一例を説明する図である。
【００５０】
［１．２．１  電子チケットの表示画面］
ユーザが電子チケットを購入した後、自己が利用する携帯電話機４−ｋを用いてチケット販売処理サーバ１にアクセスし、電子チケットをダウンロードする。ダウンロードされた電子チケットは、図２に示すように、携帯電話機４−ｋの画面に表示される。実際にダウンロードされ画面に表示される情報は、電子チケットを表示するＷｅｂページであるチケットページ２００（チケット画面情報の一例）である。なお、電子チケットを表示するための情報は、Ｗｅｂページのみに限らず、例えば、画像データ等であっても良い。
【００５１】
チケットページ２００は、再読込リンク２０１、チケット名２０２、チケット画像２０３、チケット画像上に表示される日時２０４、乱数表示エリア２０５等により構成されている。
【００５２】
再読込リンク２０１が選択されると、チケットページ２００が改めてチケット販売処理サーバ１から再度ダウンロードされ、これが画面に表示される。
【００５３】
チケット名２０２には、電子チケットが対応するイベントの名称やチケットの名称等が表示される。また、イベントによっては、開催日時や座席番号等も表示される。
【００５４】
チケット画像２０３は、電子チケットが対応するイベントに関連する画像であり、例えばホログラム画像である。
【００５５】
日時２０４は、チケット画像２０３に埋め込み合成されており、例えば、チケット販売処理サーバ１が携帯電話機４−ｋからのリクエストを受けてチケットページ２００を生成するときの日時を、月、日、時、分、秒等で示している。従って、日時２０４は、現在日時そのものを示すものではないので、時間が経過してもその内容は変化しない。
【００５６】
乱数表示エリア２０５には、例えば、５×５マス＝２５マスを表示する画像データの夫々のマス内に、００〜９９までの数値の中から後述する規則に基づきランダムに抽出された数値が表示される。
【００５７】
［１．２．２  イベント開催者による設定］
イベント開催者は、例えば、電子チケットの販売に先立ち、イベント管理端末３−ｊを用いて後述する数値設定ページ３００（図１１参照）を通じ、上記２５マスの中から１または複数のマスを予め選択し設定しておく。それとともに、イベント開催者は、日時２０４として表示される時、分、秒のうち、何れか１つを選択し設定しておく。
【００５８】
そして更に、イベント開催者は、選択したマス夫々に表示される乱数の下一桁の数値と、選択した時刻要素の下一桁の数値と、の合計値を任意に設定しておく。
【００５９】
なお、選択されたマスの表示位置を示す情報を乱数表示位置（位置情報の一例）という。また、時、分及び秒を、「時刻要素」と称し、選択された時刻要素を示す情報を時分秒指定情報という。また、選択された合計値を設定合計値（答え情報の一例）という。
【００６０】
［１．２．３  チケットページの生成］
チケット販売処理サーバ１は、携帯電話機４−ｋから電子チケットの表示の要求があると、イベント開催者により設定された情報に基づいてチケットページ２００を生成する。
【００６１】
具体的には、チケット販売処理サーバ１は、時刻を含む現在日時を日時２０４とし、また、乱数表示エリア２０５の全てのマスに対応する乱数をランダムに決定する。このとき、チケット販売処理サーバ１は、日時２０４に表示させる時刻のうち時分秒指定情報が示す時刻要素の下一桁の数値と、乱数表示位置が示す位置のマスに表示させる乱数の下一桁の数値と、の合計値、すなわち全ての数値を加算した結果が、設定合計値に一致するように、各乱数を決定するか、各乱数の位置を決定または再編成する。
【００６２】
そして、チケット販売処理サーバ１は、決定された情報等に基づいてチケットページ２００を生成し、リクエストした携帯電話機４−ｋに対してこのチケットページ２００を送信する。
【００６３】
［１．２．４  イベント会場等における電子チケットの真贋の判断方法］
イベント開催者はイベント会場等で電子チケットを確認する係員に、上記設定したマスの位置、時刻要素及び合計値を知らせておく。
【００６４】
係員は、イベント会場等の来場者から携帯電話機４−ｋの画面に表示されたチケットページ２００を見る。そして、係員は、チケットページ２００における日時２０４に表示されている時刻のうち事前に知らされた時刻要素の下一桁の数値と、同じく事前に知らされたマスに表示されている乱数の下一桁と、の合計値が、事前に知らされた合計値に一致するか否かを確認する。
【００６５】
その結果、係員は、合計値同士が一致すれば、画面に表示された電子チケットは本物であると判断し、一致しなければ、偽物であると判断する。
【００６６】
例えば、図３に示すように、時刻要素として秒を用いることが選択され、また、２５個のマスＡ〜Ｙのうち、２行３列目のＨのマスと５行５列目のＹのマスとの２つのマスが選択されている。また、合計値として１４が選択されている。なお、図中の符号Ｒは、係員を示している。
【００６７】
この場合、秒の下一桁の数値＋Ｈのマスに表示された乱数の下一桁の数値＋Ｙのマスに表示された乱数の下一桁の数値、の計算結果が１４であれば、電子チケットは本物であるということになる。この場合は、時及び分、Ｈ及びＹを除くマス目の乱数は、電子チケットの真贋の判定には関係しない。
【００６８】
具体的に、例えば、チケットページ２００が図４（ａ）に示すように表示されたとする。このとき、秒の数値は２０であり、Ｈのマスの乱数は０７であり、Ｙのマスの乱数は１７である。そうすると、夫々の数値の下一桁の合計値、すなわち、０＋７＋７は１４となるので、この電子チケットは基本的に本物である。
【００６９】
また、例えば、チケットページ２００が図４（ｂ）に示すように表示されたとする。このとき、秒の数値は５６であり、Ｈのマスの乱数は７７であり、Ｙのマスの乱数は４５である。そうすると、夫々の数値の下一桁の合計値、すなわち、６＋７＋５は１８となるので、この電子チケットは偽物である。
【００７０】
このようにして、係員は、電子チケットの真贋を目視で簡単に判断することができる。
【００７１】
その一方で、来場者は、画面に表示されている乱数が電子チケットの真贋の判断に使用されているだろうということについては推測することはできるが、その乱数値及び時刻とが真に意味するところについては何も知らないはずである。更に来場者は、どのような計算を行って真贋を判断するのか、どの時刻要素とどのマス目とを使うのか、答えは何であるのか、などは一切知らないはずである。従って、仮に来場者が電子チケットを偽造したとしても、係員は、それを簡単に看破ことができるのである。
【００７２】
しかも、基本的に同一イベントに関しては同一の規則を適用することができるので、係員における電子チケットの確認負担も軽減することができる。
【００７３】
なお、ユーザがチケットページ２００の表示画面を係員に見せる直前に当該ページを画面に表示させた場合には、その日時２０４に表示される日時は、表示画面を係員に見せたときの日時とほぼ同一となるか、または、その日時と数秒あるいは数分程度しか差が無いはずである。従って、係員が携帯電話機４−ｋの画面を見たときに日時と、その画面に表示された日時との差が甚だ大きい場合には、たとえ、計算結果が合っていたとしても電子チケットが偽造された可能性があることは否めない。
【００７４】
そこで、このようなときには、係員は、その場でチケットページ２００を再読み込みさせることを来場者に促すことができる。これに対して来場者が再読込リンク２０１を選択すると、チケットページ２００が改めてダウンロードされて画面に再表示される。
【００７５】
このときに日時２０４に表示される日時はほぼ現在日時と一致することとなり、乱数表示エリア２０５の各マスには新たな乱数が表示される。これらの数値は、前回表示したときの数値とは基本的に異なるものとなる。しかし、計算規則は同一であるので、係員は、再度計算を行いその合計値が設定合計値と一致するか否かによって電子チケットの真贋を判断することができる。更に、日時２０４に表示される日時が現在日時とかけ離れている場合には、その電子チケットは偽物であると判断することができる。
【００７６】
また、事前に設定しておいた情報が第三者に漏洩してしまった場合には、この第三者等により、その情報を用いて本物と見分けが付かない電子チケットを作成されてしまう可能性がある。イベント開催者は、こうした情報漏洩の可能性があると判断した場合には、その場で設定内容を変更することで、こうした偽造による電子チケットを看破ることができる。
【００７７】
なお、図３及び図４の丸印は、計算に用いられる情報を分かりやすく示したものであって、実際にそのような図形が画面に表示されるわけではない。
【００７８】
［１．２．５  変形例］
以下に変形例について説明する。
【００７９】
（ａ）上記例では、真贋を判断するための計算方法（算法・演算方法）として加算を用いて合計値を求めていたが、これに限られるものではない。例えば、乗算を用いても良い。また、減算や乗算等を用いても良い。ただし、この場合は、例えば、どれが除数でありどれが被除数であるかなどを設定する必要があり、係員もこうした情報を知っておく必要がある。
【００８０】
また、他の計算方法を用いても良いし、各種計算方法を組み合わせた計算式を用いても良い。なお、上記の設定合計値という名称は、計算方法に応じて適当な名称に読み替える。
【００８１】
計算方法が複雑になればなるほど、電子チケットの真贋を正確に判断することができるが、その一方で、係員が素早く計算を行うことができなくなることに留意する必要がある。
【００８２】
また、計算方法をイベント開催者により設定可能とするようにしても良い。
【００８３】
（ｂ）上記例では、真贋を判断するための計算に時刻の情報を用いていたが、必ずしもこの情報を用いる必要はない。
【００８４】
この場合において、イベント開催者が、計算に用いるマスを１つしか選択しないようなときには、計算方法としては、例えば、定数を用いて計算する方法がある。例えば、乱数値を定数値で除したときの余りを求め、その余りが、予め設定しておいた答えに一致するか否かで電子チケットの真贋を判断する。
【００８５】
その一方で、例えば、座席番号（アルファベットである場合は、対応する数値に変換して計算する）等をチケットページ２００にて表示させるとともに、この情報をも用いて計算を行っても良い。
【００８６】
（ｃ）上記例では、下一桁の数値を用いて計算していたが、他の桁の数値を用いても良い。また、ｍ桁目〜ｎ桁目、というように、所定範囲の桁の数値を用いても良い。更には、桁位置での限定をせずに、乱数値及び時刻情報そのものを用いても良い。
【００８７】
また、計算に用いる桁をイベント開催者により設定可能とするようにしても良い。
【００８８】
（ｄ）乱数表示エリア２０５のマスの個数は２５マスに限られるものではない。２５マスより少なくても良いし、多くても良い。また、マスの個数や配列をイベント開催者により設定可能とするようにしても良い。極端な例としては１マスでも良いが、この場合であると、必然的にその一マスの乱数が計算に用いられることとなるので、必ずしも望ましい態様とはいえない。少なくとも計算に用いられるマスと用いられないマスとが存在する方が良い。また、マスの個数がより多いほど、計算にどのマスが使われているかが見破られにくくなる。
【００８９】
（ｅ）乱数表示エリア２０５のマスのうち、計算に用いられるマスとして選択することができるマスの個数を、ある個数に限定しても良いし、一定の幅で限定しても良い。この場合は、全マスを選択することができないように制限することが望ましい。こうすることで、どのマスの乱数が計算に用いられているかをユーザが推測することが困難となる。
【００９０】
（ｆ）本実施形態においては、基本的に目視のみで電子チケットの真贋を判断することができるようにしているが、例えば、装置を用いて携帯電話機４−ｋの画面の画像を読み取らせ、この画像を当該装置が解析して計算を行っても良い。もっとも、係員が電卓等を用いて計算を行うのは自由である。
【００９１】
（ｇ）乱数値は、００〜９９の範囲に限定されるものではない。また、必ずしも日時２０４をチケット画像２０３に埋め込む必要はない。
【００９２】
［１．３  チケット販売処理サーバの構成及び機能等］
次に、チケット販売処理サーバ１の構成及び機能等について、図５乃至図９を用いて説明する。
【００９３】
図５は、第１実施形態に係るチケット販売処理サーバ１の概要構成の一例を示すブロック図である。また、図６は、会員情報データベース１０１に登録される情報の内容の一例を示す図である。また、図７は、チケット情報データベース１０２に登録される情報の内容の一例を示す図である。また、図８は、チケット生成情報に設定される内容の一例を示す図である。また、図９は、チケット情報に設定される内容の一例を示す図である。
【００９４】
図５に示すように、チケット販売処理サーバ１は、操作部１１と、表示部１２と、通信部１３と、ドライブ部１４と、記憶部１５と、入出力インタフェース部１６と、システム制御部２０と、を備えている。そして、システム制御部２０と入出力インタフェース部１６とは、システムバス２１を介して接続されている。
【００９５】
操作部１１は、例えば、キーボード、マウス等により構成されており、オペレータ等からの操作指示を受け付け、その指示内容を指示信号としてシステム制御部２０に出力するようになっている。表示部１２は、例えば、ＣＲＴ（Cathode Ray Tube）ディスプレイ、液晶ディスプレイ等により構成されており、文字や画像等の情報を表示するようになっている。通信部１３は、ネットワークＮＷ等に接続して、他のサーバ装置、イベント管理端末３−ｊ、携帯電話機４−ｋ等との通信状態を制御するようになっている。ドライブ部１４は、例えば、フレキシブルディスク、ＣＤ（Compact Disc）、ＤＶＤ（Digital Versatile Disc）等のディスクＤＫからデータ等を読み出す一方、当該ディスクＤＫに対してデータ等を記録するようになっている。記憶部１５は、例えば、ハードディスクドライブ等により構成されており、各種プログラム及びデータ等を記憶するようになっている。また、記憶部１５は、記憶手段の一例を構成する。入出力インタフェース部１６は、操作部１１〜記憶部１５とシステム制御部２０との間のインタフェース処理を行うようになっている。システム制御部２０は、ＣＰＵ（Central Processing Unit）１７、ＲＯＭ（Read Only Memory）１８、ＲＡＭ（Random Access Memory）１９等により構成されている。
【００９６】
記憶部１５には、会員情報データベース１０１及びチケット情報データベース１０２が構築されている。
【００９７】
先ず、図６に示すように、会員情報データベース１０１には、会員に関する会員情報が、当該会員を識別するための会員ＩＤに対応付けられて登録されている。具体的に会員情報には、例えば、会員ＩＤ、ログインするためのパスワード、会員の氏名、郵便番号、住所、電話番号、電子メールアドレス、生年月日、性別、クレジットカードのカード番号及びその有効期限等が設定される。
【００９８】
次に、図７に示すように、チケット情報データベース１０２には、イベント等に関する情報が、イベント開催者を識別するためのイベント開催者ＩＤと、イベントを識別するためのイベントＩＤと、に対応付けられて登録されている。具体的には、イベント開催者ＩＤ、イベントＩＤ、イベント情報（イベントの名称、種類、イベント内容、問い合わせ先の情報、及び、必要に応じて開催場所、開催日時、チケットの種類等を含む）、チケット生成情報、電子チケットを購入したユーザの人数分の購入者情報（チケットを購入したユーザの加入者ＩＤ（詳細は後述）、氏名、郵便番号、住所、電話番号、電子メールアドレス、購入枚数、購入されたチケットを識別するためのチケットＩＤ、支払い方法、及び、必要に応じて会員ＩＤ等を含む）、販売して電子チケットの枚数分のチケット情報等が登録される。
【００９９】
チケット生成情報は、チケットページ２００を生成するために、イベント開催者によって設定される情報である。具体的に、チケット生成情報には、図８に示すように、チケットページ２００のチケット画像２０３に相当するチケット画像データ、設定合計値、時分秒指定情報、選択されたマスの個数（計算に用いる乱数の個数）を示す選択マス個数等が設定され、更に、選択されたマスの位置を示す乱数表示位置（例えば、１〜２５の何れかの番号、または、行番号及び列番号等）が、選択マス個数が示す数分設定されている。
【０１００】
次に、チケット情報は、販売された後の電子チケットの状態等をチケットＩＤに対応して１枚毎に示す情報である。具体的に、チケット情報には、図９に示すように、チケットＩＤ、現在チケットを所有しているユーザの加入者ＩＤ（固有識別情報の一例）、会員ＩＤ及び電子メールアドレス、閲覧回数、転送回数等が設定される。
【０１０１】
加入者ＩＤは、移動体通信事業者によりその加入者に対して一意に割り当てられた識別情報であり、たとえユーザが機種変更を行ったとしても、同一の移動体通信事業者内であれば（同一の移動体通信事業者と契約していれば）、基本的にこれまでと同じＩＤが割り当てられる。そして、この加入者ＩＤは、携帯電話機４−ｋからＷｅｂコンテンツ等のリクエストを送信する際に、例えば、インターネットと移動体通信網との間における通信を中継するゲートウェイサーバにより、そのリクエストに付加されて、チケット販売処理サーバ１等のＷｅｂサーバに送信される。ただし、加入者ＩＤは常に送信されるわけではなく、予め移動体通信事業者により許可されたサイトに対してのみ送信される。また、許可されたサイトであったとしても、携帯電話機４−ｋのユーザの許可がない限り送信はされない。
【０１０２】
なお、加入者ＩＤに代えて、例えば、携帯電話機４−ｋ毎に固有に割り当てられた機体番号、ユーザ契約している電話番号、携帯電話機４−ｋに装着されたＩＤカードのカード番号等の情報であって、且つ、携帯電話機４−ｋからＷｅｂコンテンツをリクエストする際に送信される情報であれば良い。つまり、チケット販売処理サーバ１側において、加入者または携帯電話機４−ｋを特定することができる情報であれば良い。
【０１０３】
チケット情報における会員ＩＤは、必要に応じて設定される情報である。本実施形態においては、加入者ＩＤで電子チケットの所有者を特定するので、会員登録を行う必要はない。しかし、例えば、ユーザが、携帯電話機４−ｋを買い換えたり、携帯電話機４−ｋが故障したなどにより別に携帯電話機４−ｋを使わざるを得ない場合には、加入者ＩＤが変わってしまい、所有者が電子チケットを使用することができなくなる場合がある。こうしたときに、予めユーザが会員登録し、会員ＩＤで認証を行っておくことにより、この会員ＩＤで電子チケットの所有者を特定するのである。
【０１０４】
チケット情報における電子メールアドレスは、チケットページ２００を画面に表示させるためのＵＲＬ（Uniform Resource Locator）が記載された電子チケット表示用メールの送信先を示す。従って、この電子メールアドレスには、基本的に携帯電話機４−ｋ用の電子メールアドレスが設定される。
【０１０５】
閲覧回数は、電子チケットの所有者がその電子チケットを閲覧した回数、すなわち、チケットページ２００を受信して携帯電話機４−ｋの画面に表示させた回数を示す情報である。ユーザがチケットページ２００を故意に何回も読み込ませた場合には、チケットページ２００の生成規則を解析する意図があると推認される。こうしたことから、電子チケットの閲覧回数を制限するたに、この情報が存在する。
【０１０６】
転送回数は、電子チケットの所有者がその電子チケットを他人に転送することにより、電子チケットの所有者を変更した回数を示す情報である。電子チケットの譲渡や転売を認めることは基本的には好ましくはない。しかし、例えば、グループでチケットを購入する場合には、その代表者が人数分のチケットを購入して、これを配ることが一般的である。また、例えば、未成年の代わりにその保護者がチケットを購入して、これを当該未成年者に渡すということも一般的に行われている。そこで、本実施形態においては、電子チケットについてもこうした態様による譲渡を許容するため、電子チケットの転送を１回のみ許可するようになっている。
【０１０７】
また、記憶部１５には、夫々、電子チケット販売サイトのＷｅｂページを構成するＨＴＭＬ（Hyper Text Markup Language）データ、画像データ、音声データ、テキストデータ等が記憶されている。
【０１０８】
更に、記憶部１５には、夫々、所定のオペレーティングシステムの他、ＨＴＴＰ（Hyper Text Transfer Protocol）プロトコルを用いて、イベント管理端末３−ｊ、携帯電話機４−ｋ等から送信されたリクエストに応じて、当該記憶部１５に記憶されている各種のデータに基づきＷｅｂページを生成し、当該Ｗｅｂページをイベント管理端末３−ｊ、携帯電話機４−ｋ等に送信するためのＷＷＷ（World Wide Web）サーバプログラム、ＳＭＴＰ（Simple Mail Transfer Protocol）プロトコルを用いて、他のメールサーバから送信された電子メールを受信する一方、サーバ自らが作成した電子メールを、他のメールサーバに送信するためのメールサーバプログラム、各データベースを管理するデータベース管理プログラム、電子チケットの販売や送信を制御するチケット販売処理プログラム等が記憶されている。
【０１０９】
なお、各種プログラム等は、例えば、他のサーバ装置等からネットワークＮＷを介して取得されるようにしても良いし、ＣＤ（Compact Disc）−ＲＯＭ等のディスクＤＫに記録されてドライブ部１４を介して読み込まれるようにしても良い。
【０１１０】
システム制御部２０は、チケット表示要求受信手段、チケット画面情報生成手段、乱数決定手段、時刻情報埋め込み手段、チケット画面情報送信手段、識別情報特定手段、チケット購入要求受信手段、固有識別情報記憶手段、メールアドレス受信手段、メールアドレス記憶手段、メール送信手段等の一例を構成している。
【０１１１】
そして、システム制御部２０は、ＣＰＵ１７が、ＲＯＭ１８や記憶部１５に記憶された各種プログラムを読み出し実行することによりチケット販売処理サーバ１の各部を制御するとともに、チケット表示要求受信手段、チケット画面情報生成手段、乱数決定手段、時刻情報埋め込み手段、チケット画面情報送信手段、識別情報特定手段、チケット購入要求受信手段、固有識別情報記憶手段、メールアドレス受信手段、メールアドレス記憶手段、メール送信手段等として機能するようになっている。この各手段等としての機能について説明する。
【０１１２】
チケット表示要求受信手段としてのシステム制御部２０は、電子チケット表示用メールに記載されたＵＲＬをユーザが選択したり、チケットページ２００の再読込リンク２０１をユーザが選択した場合に、携帯電話機４−ｋから送信されたチケット表示要求（チケット表示要求情報の一例）を受信するようになっている。
【０１１３】
また、チケット画面情報生成手段としてのシステム制御部２０は、チケット表示要求を受信すると、対応するチケット生成情報に基づいてチケットページ２００を生成するようになっている。
【０１１４】
具体的に、システム制御部２０は、チケット表示要求のヘッダからアクセス先のＵＲＬと加入者ＩＤとを取得して、対応するイベントのチケット生成情報を特定し、チケット情報データベース１０２から取得する。
【０１１５】
そして、システム制御部２０は、現在日時の情報を取得し、この情報を、チケット生成情報に設定されているチケット画像に埋め込んで、チケット画像２０３として、チケットページ２００に埋め込む。
【０１１６】
更に、システム制御部２０は、現在日時が示す時刻のうち時分秒指定情報が示す時刻要素の下一桁の数値と、選択マス個数分の乱数値の下一桁の数値のと、の合計値が設定合計値に一致するように当該乱数値を夫々ランダムに決定する。また、システム制御部２０は、乱数表示エリア２０５の全マスの個数から選択マス個数を引いた分の乱数値をランダムに決定する。そして、システム制御部２０は、合計値が設定合計値に一致するように決定した各乱数値を、夫々乱数表示エリア２０５の乱数表示位置が示す位置に埋め込むとともに、他の乱数値を、乱数表示エリア２０５の空いている位置に埋め込む。
【０１１７】
また、チケット画面情報送信手段としてのシステム制御部２０は、生成したチケットページ２００を、チケット表示要求を送信した携帯電話機４−ｋに送信するようになっている。
【０１１８】
また、識別情報特定手段としてのシステム制御部２０は、アクセスしてきた携帯電話機４−ｋに関する加入者ＩＤをそのアクセス内容であるリクエストヘッダから取得する。
【０１１９】
また、チケット購入要求受信手段としてのシステム制御部２０は、携帯電話機４−ｋから送信されたチケット購入要求（チケット購入要求情報の一例）を受信するようになっている。
【０１２０】
また、固有識別情報記憶手段としてのシステム制御部２０は、チケット購入要求が受信された場合に、チケット購入要求を送信した携帯電話機４−ｋに関する加入者ＩＤを、購入された電子チケットに関するチケット情報中に設定し、このチケット情報をチケット情報データベース１０２に登録する。
【０１２１】
また、メールアドレス受信手段としてのシステム制御部２０は、電子チケットの購入の際にユーザが指定した転送先の電子メールアドレスを含むチケット購入要求を受信する。
【０１２２】
また、メールアドレス記憶手段としてのシステム制御部２０は、転送先の電子メールアドレスを含むチケット購入要求が受信された場合に、この電子メールアドレスを、購入された電子チケットに関するチケット情報中に設定する。
【０１２３】
また、メール送信手段としてのシステム制御部２０は、チケット情報に設定された電子メールアドレス宛に、電子チケット表示用メールを送信する。このとき、システム制御部２０は、電子チケット表示用のＵＲＬ（リンク情報の一例）に当該電子メールアドレスを付加して、電子チケット表示用メールの本文に設定する。
【０１２４】
なお、チケット販売処理サーバ１を、例えば、データベースを管理するサーバ、各種情報を提供するＷＷＷサーバ等の複数のサーバ装置により構成しても良い。
【０１２５】
［１．４  電子チケット販売システムの動作］
次に、電子チケット販売システムＳの動作について説明する。
【０１２６】
［１．４．１  チケット生成情報の設定］
先ず、イベント開催者が電子チケットを生成するための情報を設定する場合における動作について、図１０及び図１１を用いて説明する。
【０１２７】
図１０は、第１実施形態に係る電子チケット販売システムＳにおいて、イベント開催者がチケット生成情報を設定する場合の処理例を示すフローチャートである。また、図１１は、数値設定ページ３００の表示例を示す図である。
【０１２８】
イベント開催者が、設定を行うべくイベント管理端末３−ｊを操作すると、図１０に示すように、イベント管理端末３−ｊは、ログイン要求をチケット販売処理サーバ１に送信する（ステップＳ１１）。
【０１２９】
ログイン要求を受信したチケット販売処理サーバ１のシステム制御部２０は、ログイン処理を実行する（ステップＳ２１）。具体的に、システム制御部２０は、ログインページをイベント管理端末３−ｊに送信し、当該ページを通じてイベント開催者により入力されたイベント開催者ＩＤ及びパスワードがイベント管理端末３−ｊからチケット販売処理サーバ１に送信される。そして、チケット販売処理サーバ１のシステム制御部２０は、パスワード認証を実行し、これが成功すると、イベント開催者により更に入力されたイベントＩＤをイベント管理端末３−ｊから受信する。
【０１３０】
次いで、チケット販売処理サーバ１のシステム制御部２０は、数値設定ページ３００を生成し、当該ページをイベント管理端末３−ｊに送信する（ステップＳ２２）。具体的に、システム制御部２０は、受信したイベント開催者ＩＤ及びイベントＩＤに対応するチケット生成情報が既にチケット情報データベース１０２に登録されている場合には、当該情報が既に設定されている状態で数値設定ページ３００を生成し、登録されていない場合には、数値設定ページ３００を初期状態で生成する。
【０１３１】
数値設定ページ３００を受信したイベント管理端末３−ｊは、当該ページを画面に表示する（ステップＳ１２）。
【０１３２】
図１１に示すように、数値設定ページ３００は、時分秒選択エリア３０１、マス選択エリア３０２、選択画像表示エリア３０３、画像変更ボタン３０４、合計値設定エリア３０５、設定ボタン３０６等により構成されている。
【０１３３】
時分秒選択エリア３０１は、時分秒指定情報を設定するためのエリアであり、時、分、秒の何れかを選択するためのラジオボタンが設けられている。
【０１３４】
マス選択エリア３０２は、選択マス個数及び乱数表示位置を設定するためのエリアであり、チケットページ２００における乱数表示エリア２０５の各マスに夫々対応してチェックボックスが設けられている。
【０１３５】
選択画像表示エリア３０３は、現在選択されているチケット画像が表示されるエリアである。ここに表示されている画像のデータがチケット画像データとして設定される。
【０１３６】
画像変更ボタン３０４は、選択されているチケット画像を変更するためのボタンである。イベント開催者は、画像変更ボタン３０４を選択することによって、イベント管理端末３−ｊに保存されている画像データの中から選択画像表示エリア３０３に表示させる画像データを選択することができるようになっている。
【０１３７】
合計値設定エリア３０５は、設定合計値を入力するための入力フォームである。
【０１３８】
設定ボタン３０６は、現在の設定内容を登録するためのボタンである。
【０１３９】
ここで、イベント開催者が、時、分、秒の何れかの選択、マスの選択、チケット画像の選択、合計値の設定等を行い、設定ボタン３０６を選択すると（ステップＳ１３）、イベント管理端末３−ｊは、設定内容に相当するチケット生成情報をチケット販売処理サーバ１に送信する（ステップＳ１４）。
【０１４０】
チケット生成情報を受信したチケット販売処理サーバ１のシステム制御部２０は（ステップＳ２３）、当該チケット生成情報を、イベント開催者ＩＤ及びイベントＩＤに対応付けてチケット情報データベース１０２に登録し（ステップＳ２４）、処理を終了させる。
【０１４１】
［１．４．２  電子チケットの購入］
次に、ユーザが電子チケットを購入する場合における動作について、図１２を用いて説明する。
【０１４２】
図１２は、第１実施形態に係る電子チケット販売システムＳにおいて、ユーザが電子チケットを購入する場合の処理例を示すフローチャートである。
【０１４３】
ユーザは、必要に応じてシステムにログインした後、または、ログインせずに、携帯電話機４−ｋを操作し、電子チケットを購入すべく、図１２に示すように、当該携帯電話機４−ｋによりチケット販売処理サーバ１にアクセスさせる（ステップＳ５１）。なお、ユーザは、チケット販売処理サーバ１に対する加入者ＩＤの送信を許可しているものとする。
【０１４４】
携帯電話機４−ｋからのアクセスを受けたチケット販売処理サーバ１のシステム制御部２０は、そのアクセス要求のヘッダから加入者ＩＤを取得する（ステップＳ６１）。
【０１４５】
次いで、システム制御部２０は、チケット購入ページを携帯電話機４−ｋに送信する（ステップＳ６２）。
【０１４６】
チケット購入ページを受信した携帯電話機４−ｋは、当該ページを画面に表示する（ステップＳ５２）。ここで、ユーザが、目的とするイベントを選択し、電子チケットの枚数、本人の氏名、郵便番号、住所、電話番号、本人の電子メールアドレス、支払い情報等を入力する。また、ユーザは、購入する電子チケットを転送する必要がある場合には、購入枚数に応じて、転送先の電子メールアドレスを入力する。
【０１４７】
こうして、ユーザが入力を終えると、携帯電話機４−ｋは、入力された情報が設定されたチケット購入要求をチケット販売処理サーバ１に送信する（ステップＳ５３）。
【０１４８】
チケット購入要求を受信したチケット販売処理サーバ１のシステム制御部２０は（ステップＳ６３）、チケット購入処理を実行する（ステップＳ６４）。具体的に、システム制御部２０は、チケット購入要求に設定された購入枚数に対応する分のチケットＩＤの割り当てを行う。また、システム制御部２０は、チケット購入要求に設定された情報等を用いて購入者情報を生成する。次いで、システム制御部２０は、チケット購入要求に対応するイベント開催者ＩＤ及びイベントＩＤを特定し、生成した購入情報をこれらの情報に対応付けてチケット情報データベース１０２に登録する。また、システム制御部２０は、販売履歴を更新する。
【０１４９】
システム制御部２０は、チケット購入処理を終えると、購入完了ページを携帯電話機４−ｋに送信する（ステップＳ６５）。
【０１５０】
購入完了ページを受信した携帯電話機４−ｋは、当該ページを画面に表示する（ステップＳ５４）。購入完了ページには、電子チケットの購入が完了した旨のメッセージ、購入内容等が表示される。
【０１５１】
チケット販売処理サーバ１のシステム制御部２０は、購入完了ページを送信した後、番号Ｍに１を設定する（ステップＳ６６）。
【０１５２】
次いで、システム制御部２０は、購入された電子チケットのうちＭ番目の電子チケットに対して転送先の電子メールアドレスが設定されているか否かを、チケット購入要求に設定されている情報に基づいて判定する（ステップＳ６７）。
【０１５３】
このとき、システム制御部２０は、Ｍ番目の電子チケットに対して転送先の電子メールアドレスが設定されていない場合には（ステップＳ６７：ＮＯ）、購入者本人用のチケット情報を登録する（ステップＳ６８）。具体的に、システム制御部２０は、Ｍ番目の電子チケットに割り当てたチケットＩＤ、取得した加入者ＩＤ、購入者本人の電子メールアドレス、閲覧回数として０、及び、転送回数として０、を設定したチケット情報を生成する。このとき、システム制御部２０は、会員ＩＤを未設定とする。そして、システム制御部２０は、生成したチケット情報を、イベント開催者ＩＤ、イベントＩＤ及びチケットＩＤに対応付けてチケット情報データベース１０２に登録する。
【０１５４】
システム制御部２０は、チケット情報の登録を終えると、ユーザが既にログインしているか否かを判定する（ステップＳ６９）。このとき、システム制御部２０は、ユーザはログインしていない場合には（ステップＳ６９：ＮＯ）、ステップＳ７１に移行する。一方、システム制御部２０は、ユーザが既にログインしている場合には（ステップＳ６９：ＹＥＳ）、先ほど登録したチケット情報中に、ユーザの会員ＩＤを設定した上で（ステップＳ７０）、ステップＳ７１に移行する。
【０１５５】
次いで、システム制御部２０は、電子チケット表示用メールを生成し、これを購入者本人宛に送信する（ステップＳ７１）。具体的に、システム制御部２０は、送信先の電子メールアドレスに購入者本人の電子メールアドレスを設定する。また、システム制御部２０は、電子チケットが対応するイベントの情報等をメール本文に設定する。
【０１５６】
また、システム制御部２０は、チケットページ２００にアクセスするためのＵＲＬを生成する。例えば、システム制御部２０は、ＵＲＬとして、チケット販売サイトのドメイン名に、どのイベントの電子チケットであるかを特定するためのイベント開催者ＩＤ及びイベントＩＤを付加する。また、システム制御部２０は、購入者本人の電子メールアドレス及び割り当てられたチケットＩＤの何れか一方または両方を更にＵＲＬに付加する。なお、電子メールアドレス及び各ＩＤについては、暗号化することが望ましい。
【０１５７】
システム制御部２０は、こうして生成したＵＲＬを、「ここから電子チケットにアクセスしてください」等のメッセージを添えてメール本文に設定する。システム制御部２０は、こうのようにして生成した電子チケット表示用メールを送信する。
【０１５８】
携帯電話機４−ｋは、ユーザ操作により、メールサーバ等を介して電子チケット表示用メールを受信する（ステップＳ５５）。
【０１５９】
他方、チケット販売処理サーバ１のシステム制御部２０は、ステップＳ６７においてＭ番目の電子チケットに対して転送先の電子メールアドレスが設定されている場合には（ステップＳ６７：ＹＥＳ）、転送先用のチケット情報を登録する（ステップＳ７２）。具体的に、システム制御部２０は、Ｍ番目の電子チケットに割り当てたチケットＩＤ、設定された転送先の電子メールアドレス、閲覧回数として０、及び、転送回数として０、を設定したチケット情報を生成する。このとし、システム制御部２０は、加入者ＩＤ及び加入者ＩＤを未設定とする。そして、システム制御部２０は、生成したチケット情報を、イベント開催者ＩＤ、イベントＩＤ及びチケットＩＤに対応付けてチケット情報データベース１０２に登録する。
【０１６０】
システム制御部２０は、チケット情報の登録を終えると、電子チケット表示用メールを生成し、これを転送先宛に送信する（ステップＳ７３）。具体的に、システム制御部２０は、送信先の電子メールアドレスに転送先の電子メールアドレスを設定する。これ以外についての電子チケット表示用メールの生成規則は、ステップＳ７１と同様である。
【０１６１】
システム制御部２０は、電子チケット表示用メールの送信を終えると（ステップＳ７１またはＳ７３）、番号Ｍの値がチケット購入枚数より小さいか否かを判定する（ステップＳ７４）。このとき、システム制御部２０は、番号Ｍの値がチケット購入枚数より小さい場合には（ステップＳ７４：ＹＥＳ）、番号Ｍに１を加算して（ステップＳ７５）、ステップＳ６７に移行する。つまり、システム制御部２０は、購入された電子チケットの枚数分、チケット情報の登録及び電子チケット表示用メールの送信を行うのである。
【０１６２】
そして、システム制御部２０は、番号Ｍの値がチケット購入枚数と同じ値となると（ステップＳ７４：ＮＯ）、処理を終了させる。
【０１６３】
なお、ユーザによるシステムへのログインは、チケット購入ページの送信後でも良い。この場合、チケット販売処理サーバ１のシステム制御部２０は、ログインを行うか否かをユーザが選択するためのページを所定のタイミングで携帯電話機４−ｋに送信し、ユーザがログインを行うように選択したら、ログイン処理を行ってユーザの会員ＩＤを取得すれば良い。
【０１６４】
また、チケット販売処理サーバ１のシステム制御部２０は、電子チケットの購入時以外にも、ユーザによる転送先の電子メールアドレスの設定を行えるようにしても良い。例えば、システム制御部２０は、ユーザが電子チケットの所有状況や購入履歴等を閲覧する際に、当該設定を行えるようにしても良い。
【０１６５】
［１．４．３  電子チケットの表示］
次に、ユーザが購入した電子チケットをダウンロードして画面に表示させる場合、及び、電子チケットの転送を受けたユーザが当該電子チケットをダウンロードして画面に表示させる場合における動作について、図１３及び図１４を用いて説明する。
【０１６６】
図１３は、第１実施形態に係る電子チケット販売システムＳにおいて、ユーザが電子チケットを表示させる場合の処理例を示すフローチャートである。また、図１４は、第１実施形態に係るチケット販売処理サーバ１のシステム制御部２０のチケットページ生成処理における処理例を示すフローチャートである。
【０１６７】
ユーザは、携帯電話機４−ｋを操作して、受信した電子チケット表示用メールを画面に表示させる。そして、図１３に示すように、ユーザは、表示されたメールに記載されたＵＲＬを選択すると（ステップＳ１０１）、携帯電話機４−ｋは、当該ＵＲＬを設定したチケット表示要求をチケット販売処理サーバ１に送信する（ステップＳ１０２）。
【０１６８】
あるいは、携帯電話機４−ｋの画面には既にチケットページ２００が表示されており、ユーザは、当該ページの再読込リンク２０１を選択する（ステップＳ１０１）。再読込リンク２０１のＵＲＬには、電子チケット表示用メールに記載されるＵＲＬと同様のＵＲＬが設定されているので、携帯電話機４−ｋは、当該ＵＲＬを設定したチケット表示要求をチケット販売処理サーバ１に送信する（ステップＳ１０２）。
【０１６９】
チケット表示要求を受信したチケット販売処理サーバ１のシステム制御部２０は（ステップＳ１１１）、これに対応するチケット情報がチケット情報データベース１０２に登録されているか否かを判定する（ステップＳ１１２）。具体的に、システム制御部２０は、チケット表示要求に設定されているＵＲＬからイベント開催者ＩＤとイベントＩＤとを取得し、対応するイベントを特定する。また、システム制御部２０は、当該ＵＲＬから電子メールアドレスまたはチケットＩＤを取得する。そして、システム制御部２０は、対応するイベントについて登録されているチケット情報の中から、取得した電子メールアドレスまたはチケットＩＤが設定されているチケット情報を検索する。
【０１７０】
このとき、システム制御部２０は、対応するチケット情報が登録されていない場合には（ステップＳ１１２：ＮＯ）、エラー処理を実行する（ステップＳ１１３）。具体的に、システム制御部２０は、要求された電子チケットが無かった旨を示すエラーページを携帯電話機４−ｋに送信する。エラー処理が実行されるケースとしては、例えば、ユーザがＵＲＬに手を加えた場合や、既に他人に転送した電子チケットを表示させようとした場合、ユーザが携帯電話機４−ｋを別に移動体通信事業者の携帯電話機４−ｋに変えた場合、などが考えられる。システム制御部２０は、この処理を終えると、処理を終了させる。
【０１７１】
一方、システム制御部２０は、対応するチケット情報が登録されている場合には（ステップＳ１１２：ＹＥＳ）、ユーザの加入者ＩＤを取得する（ステップＳ１１４）。
【０１７２】
次いで、システム制御部２０は、対応するチケット情報に加入者ＩＤが設定されてるか否かを判定する（ステップＳ１１５）。このとき、システム制御部２０は、加入者ＩＤが設定されている場合には（ステップＳ１１５：ＹＥＳ）、次いで、携帯電話機４−ｋ側から取得した加入者ＩＤと、対応するチケット情報に設定されている加入者ＩＤとが一致するか否かを判定する（ステップＳ１１６）。このとき、システム制御部２０は、加入者ＩＤが一致しない場合には（ステップＳ１１６：ＮＯ）、エラー処理を実行する（ステップＳ１１３）。
【０１７３】
一方、システム制御部２０は、加入者ＩＤが一致する場合には（ステップＳ１１６：ＹＥＳ）、ステップＳ１２０に移行する。
【０１７４】
他方、システム制御部２０は、ステップＳ１１５において、対応するチケット情報に加入者ＩＤが設定されていない場合には（ステップＳ１１５：ＮＯ）、ステップＳ１１７に移行する。チケット情報に加入者ＩＤが設定されていない場合とは、すなわち、電子チケットの購入者等から当該電子チケットの転送を受けたユーザが、その電子チケットを初めて表示させる場合である。
【０１７５】
次いで、システム制御部２０は、対応するチケット情報に設定されている転送回数Ｐが１回以上であるか否かを判定する（ステップＳ１１７）。つまり、システム制御部２０は、転送されてきた電子チケットが、過去に既に転送されたものであるか否かを判定するのである。このとき、システム制御部２０は、転送回数Ｐが１回以上である場合には（ステップＳ１１７：ＹＥＳ）、エラー処理を実行する（ステップＳ１１３）。なお、電子チケットを転送することができる回数は適宜変更可能であり、例えば、転送を全く許容しなくても良い。また、転送回数の制限を無くしても良い。
【０１７６】
一方、システム制御部２０は、転送回数Ｐが０回である場合には（ステップＳ１１７：ＮＯ）、取得した加入者ＩＤを、対応するチケット情報中に設定する（ステップＳ１１８）。これにより、転送されてきた電子チケットは、表示を要求したユーザの所有するものとして確定する。
【０１７７】
次いで、システム制御部２０は、転送回数Ｐに１を加算すると（ステップＳ１１９）、ステップＳ１２０に移行する。
【０１７８】
システム制御部２０は、ステップＳ１１６またはＳ１１９の処理を終えると、対応するチケット情報に設定されている閲覧回数Ｎは１０回以上であるか否かを判定する（ステップＳ１２０）。このとき、システム制御部２０は、閲覧回数Ｎが１０回以上である場合には（ステップＳ１２０：ＹＥＳ）、エラー処理を実行する（ステップＳ１１３）。つまり、システム制御部２０は、電子チケットの閲覧回数（読み込み回数）を９回までに制限するのである。なお、閲覧を可能とする回数については適宜変更可能であり、また、閲覧回数の制限を無くしても良い。
【０１７９】
一方、システム制御部２０は、閲覧回数Ｎが１０回未満である場合には（ステップＳ１２０：ＮＯ）、チケットページ生成処理を実行する（ステップＳ１２１）。
【０１８０】
チケットページ生成処理において、システム制御部２０は、図１４に示すように、特定したイベント開催者ＩＤとイベントＩＤに対応するチケット生成情報をチケット情報データベース１０２から取得する（ステップＳ１５１）。
【０１８１】
次いで、システム制御部２０は、チケットページ２００のテンプレートを記憶部１５から取得する（ステップＳ１５２）。
【０１８２】
次いで、システム制御部２０は、現在時刻を取得する（ステップＳ１５３）。
【０１８３】
次いで、システム制御部２０は、チケット生成情報に設定されている乱数表示位置情報が示す位置のマスに表示させる乱数を決定する（ステップＳ１５４）。具体的に、システム制御部２０は、取得した現在時刻の時、分及び秒のうち、チケット生成情報に設定されている時分秒指定情報が示す時刻要素を選択し、選択した時刻要素の下一桁の数値を抽出する。そして、システム制御部２０は、抽出した下一桁の数値と、乱数表示位置情報が示す位置のマスに表示させる各乱数の下一桁と、の合計値が、チケット生成情報に設定されている設定合計値に一致するように、各乱数をランダムに決定する。例えば、システム制御部２０は、選択マス個数が２個である場合には、抽出した下一桁の数値＋１番目の乱数値の下一桁の数値≦設定合計値、となることを条件として１番目の乱数値をランダムに決定する。次いで、システム制御部２０は、抽出した下一桁の数値＋１番目の乱数値の下一桁の数値＋２番目の乱数値の下一桁の数値＝設定合計値、となるように、２番目の乱数値の下一桁を決定し、２番目の乱数値の上一桁をランダムに決定する。
【０１８４】
次いで、システム制御部２０は、乱数表示位置情報が示す位置のマス以外のマスに表示させる乱数値をランダムに決定する（ステップＳ１５５）。
【０１８５】
次いで、システム制御部２０は、ステップＳ１５４及びＳ１５５で決定した各乱数を、夫々テンプレート上の対応する位置に埋め込む（ステップＳ１５６）。
【０１８６】
次いで、システム制御部２０は、チケット生成情報に設定されているチケット画像データのコピーを取得し、取得したチケット画像データに対して現在時刻のテキストを埋め込み合成する（ステップＳ１５７）。
【０１８７】
次いで、システム制御部２０は、チケット画像データを、テンプレート上の対応する位置に埋め込む（ステップＳ１５８）。
【０１８８】
次いで、システム制御部２０は、対応するチケット情報に基づいて再読込リンク２０１のＵＲＬを生成し、これをテンプレートに埋め込む（ステップＳ１５８）。このＵＲＬの生成規則は、図１２のステップＳ７１におけるＵＲＬの生成規則と同様である。
【０１８９】
次いで、システム制御部２０は、その他必要な情報をテンプレートに埋めこむ（ステップＳ１６０）。
【０１９０】
システム制御部２０は、こうしてチケットページ２００の生成を完了させると、このチケットページ２００を携帯電話機４−ｋに送信する（ステップＳ１２２）。
【０１９１】
次いで、システム制御部２０は、対応するチケット情報の閲覧回数Ｎに１を加算して（ステップＳ１２３）、処理を終了させる。
【０１９２】
チケットページ２００を受信した携帯電話機４−ｋは、当該ページを図２に示すように画面に表示させる（ステップＳ１０３）。
【０１９３】
なお、上記説明において、チケット販売処理サーバ１のシステム制御部２０は、対応するチケット情報に加入者ＩＤが設定されておらず且つ転送回数Ｐが０回である場合、すなわち、電子チケットの転送を許可した場合には、直接チケットページ２００を携帯電話機４−ｋに送信するようにしていたが、この送信に代えて、転送先宛の電子チケット表示用メールを送信しても良い。この電子チケット表示用メールを受信した携帯電話機４−ｋのユーザは、このメールで電子チケットを画面に表示させることができる。
【０１９４】
［１．４．４  電子チケット表示用メールの再送信］
次に、ユーザが電子チケットを購入したり転送を受けた後、再度電子チケット表示用メールを送信させる場合における動作について、図１５を用いて説明する。
【０１９５】
図１５は、第１実施形態に係る電子チケット販売システムＳにおいて、電子チケット表示用メールを再送信する場合の処理例を示すフローチャートである。
【０１９６】
ユーザが電子チケットを購入すると、購入したユーザに関する電子チケットの加入者ＩＤは確定する。しかしながら、電子チケットの購入後、何らかの事情によりユーザが携帯電話機４−ｋをこれまでとは異なる移動体通信事業者の携帯電話機４−ｋに変えた場合には、加入者ＩＤが一致しなくなるので、変更後の携帯電話機４−ｋの画面に電子チケットを表示させることができない。こうした場合に、ユーザはシステムにログインして、自分が所有している電子チケット、すなわち、購入した電子チケットのうち他人に転送しなかった分の電子チケットを確認し、ここで加入者ＩＤを確定させるのである。そして、ユーザは、電子チケット表示用メールを再度送信させ、電子チケットを表示可能とさせるのである。
【０１９７】
ただし、この場合、ユーザは、電子チケットを購入する際等にシステムにログインして、購入した電子チケットと自己の会員ＩＤの対応付けを予め行っておく必要がある。
【０１９８】
一方、電子チケットの転送を受けたユーザが、その電子チケットを一旦表示させると、その電子チケットの加入者ＩＤが確定する。この後、ユーザが携帯電話機４−ｋを変えると、上記と同様な事態が生じるので、この場合においても、電子チケット表示用メールを再度送信させ、電子チケットを表示可能とさせる。なお、転送先のユーザが電子チケットを画面に表示させるだけでは、そのユーザの会員ＩＤを特定することができない。そこで、ユーザは、例えば、一度電子チケットを画面に表示させた後、携帯電話機４−ｋを変える前にシステムにログインすることにより、加入者ＩＤと会員ＩＤとを対応付けさせれば良い（チケット情報に両方の情報が設定される）。
【０１９９】
先ず、ユーザが、自己の所有している電子チケットを確認するためにログインすべく、携帯電話機４−ｋを操作すると、図１５に示すように、携帯電話機４−ｋは、ログイン要求をチケット販売処理サーバ１に送信する（ステップＳ２０１）。
【０２００】
ログイン要求を受信したチケット販売処理サーバ１のシステム制御部２０は、ログイン処理を実行する（ステップＳ２１１）。具体的に、システム制御部２０は、ログインページを携帯電話機４−ｋに送信し、当該ページを通じてユーザにより入力された会員ＩＤ及びパスワードが携帯電話機４−ｋからチケット販売処理サーバ１に送信される。そして、チケット販売処理サーバ１のシステム制御部２０は、パスワード認証を実行する。
【０２０１】
なお、システム制御部２０は、ユーザが未だ会員登録されていない場合には、会員登録処理を実行する。具体的に、システム制御部２０は、会員情報を登録するための会員情報入力ページを携帯電話機４−ｋに送信する。そして、当該ページを通じてユーザが入力した会員情報が携帯電話機４−ｋからチケット販売処理サーバ１に送信されると、チケット販売処理サーバ１のシステム制御部２０は、新たな会員ＩＤを割り当て、この会員ＩＤに対応付けて会員情報を会員情報データベース１０１に登録する。
【０２０２】
システム制御部２０は、上述のようにしてユーザの会員ＩＤを特定すると、所有チケット一覧ページを生成し、これを携帯電話機４−ｋに送信する（ステップＳ２１２）。具体的に、システム制御部２０は、チケット情報データベース１０２に登録されているチケット情報のうち、特定した会員ＩＤが設定されているチケット情報を検索する。そして、システム制御部２０は、検索されたチケット情報に基づいて、所有している電子チケットの一覧を示す所有チケット一覧ページを生成し送信するのである。
【０２０３】
所有チケット一覧ページを受信した携帯電話機４−ｋは、当該ページを画面に表示させる（ステップＳ２０２）。
【０２０４】
ここで、ユーザが、必要な電子チケットに対して本人の電子メールアドレスを変更し（ユーザが加入している移動体通信事業者が変われば、通常電子メールアドレスも変わる）、メール再送信を選択すると（ステップＳ２０３）、携帯電話機４−ｋは、入力された電子メールアドレス、対応する電子チケットのチケットＩＤ等を設定したメール再送信要求をチケット販売処理サーバ１に送信する（ステップＳ２０４）。
【０２０５】
メール再送信要求を受信したチケット販売処理サーバ１のシステム制御部２０は（ステップＳ２１３）、携帯電話機４−ｋ側から加入者ＩＤを取得する（ステップＳ２１４）。
【０２０６】
次いで、システム制御部２０は、メール再送信要求に設定されているチケットＩＤに対応するチケット情報を特定し、このチケット情報に設定されている加入者ＩＤと電子メールアドレスとを、携帯電話機４−ｋ側から取得した加入者ＩＤとメール再送信要求に設定されている電子メールアドレスに変更する（ステップＳ２１５）。
【０２０７】
次いで、システム制御部２０は、電子チケット表示用メールを生成し、これをユーザ宛に送信する（ステップＳ２１６）。なお、電子チケット表示用メールの生成規則は、図１２のステップＳ７１と同様である。
【０２０８】
携帯電話機４−ｋは、ユーザ操作により、メールサーバ等を介して電子チケット表示用メールを受信する（ステップＳ２０５）。
【０２０９】
なお、ユーザは、所有チケット一覧ページを通じて、電子チケットを他人に転送することもできる。この場合、ユーザは、本人の電子メールを入力する代わりに、転送先の電子メールアドレスを入力すれば良い。そして、この場合におけるチケット販売処理サーバ１のシステム制御部２０は、ステップＳ２１５における加入者ＩＤの設定は行わない。
【０２１０】
以上説明したように、本実施形態によれば、チケット販売処理サーバ１のシステム制御部２０は、携帯電話機４−ｋからチケット表示要求を受信すると、チケット情報データベース１０２に登録されているチケット生成情報に基づいて、乱数表示エリア２０５を含む電子チケットの表示ページであるチケットページ２００を生成し、これを携帯電話機４−ｋに送信する。システム制御部２０は、チケットページ２００の生成する際、乱数表示エリア２０５に表示される複数の乱数のうち、乱数表示位置が示す位置に表示される乱数を用いて加算を行った結果が設定合計値と一致するように、当該位置に表示される乱数を決定する。
【０２１１】
従って、電子チケットが本物であれば、画面上の乱数表示エリア２０５に表示された複数の乱数のうち乱数表示位置が示す位置に表示された乱数を用いて加算を行った結果は、設定合計値に一致するので、乱数表示位置、設定合計値及び計算方法を予め知っている係員は、電子チケットを確認するときに、計算を行うだけで電子チケットの真贋を判断することができる。
【０２１２】
また、ユーザが電子チケットを画面に表示させる度に乱数表示エリア２０５に表示される乱数は変化するが、乱数表示位置が示す位置に表示された乱数を用いて加算を行った結果が設定合計値に一致することは変わらないから、係員は、多数のユーザの電子チケットを夫々確認しなければならない場合でも、また、電子チケットを再読み込みを何度もさせた場合でも、同じ方法で電子チケットの真贋を判断することができる。その一方で、一度画面に表示された電子チケットと同一の内容の電子チケットをユーザが偽造して画面に表示させたとしても、係員は、電子チケットを再読み込みさせることにより、再読み込みの前に表示されていた電子チケットの表示内容と、再読み込みされた電子チケットの表示内容とが同じであれば、その電子チケットは偽造されたものと判断することができる。
【０２１３】
また、システム制御部２０は、チケットページ２００を生成する際、チケットページ２００の生成するときの日時を日時２０４としてチケットページ２００に埋め込み、乱数表示エリア２０５に表示される複数の乱数のうち乱数表示位置が示す位置に表示される乱数と、日時２０４に表示される時刻要素のうち時分秒指定情報が示す時刻要素と、を用いて加算を行った結果が設定合計値と一致するように、当該位置に表示される乱数を決定する。
【０２１４】
従って、日時２０４に表示される時刻は、チケットページ２００を画面に表示させた時刻とほぼ一致するので、例えば、電子チケットを、係員の前でユーザに再読み込みをさせることによって、日時２０４に表示された時刻が現在時刻と合わない場合には、その電子チケットを偽物と判断することができる。
【０２１５】
また、日時２０４に表示される時刻は、電子チケットをダウンロードする度に変化する情報であり、しかも、現在時刻とほぼ一致する情報であるので、例えば、一度画面に表示させた乱数表示エリア２０５の表示内容と一致する内容の電子チケットを偽造されたとしても、その電子チケットが偽物であると判断することが容易となる。
【０２１６】
また、システム制御部２０は、チケットページ２００を携帯電話機４−ｋに送信する都度電子チケットの閲覧回数を更新し、その閲覧回数が予め設定された回数を超える場合には電子チケットを送信しないので、電子チケットが何度も読み込まれ画面に表示されることによって電子チケットの真贋方法の判断規則が解読されることを防止することができる。
【０２１７】
また、システム制御部２０は、乱数表示位置が示す位置に表示される乱数の下一桁の数値と、時分秒指定情報が示す時刻要素の下一桁の数値と、を用いて加算を行った結果が設定合計値と一致するように、当該位置に表示される乱数を決定するので、限定された桁数で計算を行うことが可能となり、これにより、係員は、より簡単に素早く電子チケットの真贋を判断することができる。
【０２１８】
また、チケット生成情報は、イベントＩＤ毎に対応付けて登録されているので、表示位置情報と設定合計値とを、イベント毎に変えて設定することにより、電子チケットの真贋の判断規則の解読を困難にすることができる。
【０２１９】
また、システム制御部２０は、チケット情報データベース１０２に登録されているチケット生成情報の内容を、イベント開催者の設定により変更することができるので、電子チケットの真贋の判断規則が第三者に知られたような場合でも、チケット生成情報の内容を変更することで、安全性を保つことができる。
【０２２０】
また、システム制御部２０は、携帯電話機４−ｋからアクセスがあると、そのリクエストのヘッダから加入者ＩＤを取得し、携帯電話機４−ｋからチケット購入要求を受信した場合には、その加入者ＩＤを設定したチケット情報をチケット情報データベース１０２に登録し、携帯電話機４−ｋからチケット表示要求を受信した場合には、その携帯電話機４−ｋに関する加入者ＩＤが、チケット情報に設定されている加入者ＩＤと一致するときに、チケットページ２００を当該携帯電話機４−ｋに送信する。
【０２２１】
従って、加入者ＩＤによって、電子チケットの購入に用いられた携帯電話機４−ｋと、電子チケットを表示させる携帯電話機４−ｋと、を特定することができるので、ユーザは、本システムの会員登録を行わなくても、自分が購入した電子チケットを必要なときに画面に表示させることができる。
【０２２２】
また、システム制御部２０は、チケット購入ページや所有チケットページ等を通じて、ユーザが購入しまたは所有する電子チケットの転送先の電子メールアドレスを指定することによって携帯電話機４−ｋから送信された当該電子メールアドレスを受信すると、この電子メールアドレスを設定したチケット情報をチケット情報データベース１０２に登録し、電子チケットを表示させるためのＵＲＬであって転送先の電子メールアドレスが設定されたＵＲＬを記載した電子チケット表示用メールを、当該電子メールアドレス宛に送信する。そして、システム制御部２０は、携帯電話機４−ｋの画面に表示された電子チケット表示用メールに記載されているＵＲＬをユーザが選択したことによって当該携帯電話機４−ｋから送信されたチケット表示要求を受信し、この要求のヘッダに設定されているＵＲＬから転送先の電子メールアドレスを取得して、この電子メールアドレスが設定されているチケット情報に、この携帯電話機４−ｋに関する加入者ＩＤを設定する。
【０２２３】
従って、電子チケットを購入した際に使用された携帯電話機４−ｋと、その電子チケットを表示させる携帯電話機４−ｋと、が異なっていても、電子チケットを画面に表示させることができるので、例えば、ユーザが他者の代理で電子チケットを購入したような場合でも、その他者が、自分宛に送られてきた電子チケット表示用メールを通じて自分が使用する携帯電話機４−ｋに電子チケットを表示させることができる。
【０２２４】
また、システム制御部２０は、ログイン処理によって、電子チケットを購入したユーザの会員ＩＤを取得してチケット情報に設定する。そして、システム制御部２０は、ユーザが、購入の際に使用された携帯電話機４−ｋとは別の携帯電話機４−ｋを使用して所有チケット一覧ページを要求した場合には、指定された電子チケットのチケット情報に設定されている加入者ＩＤを、当該ユーザが今使用している携帯電話機４−ｋに関する加入者ＩＤに変更するので、ユーザは、予めログインして、電子チケットと自分の会員ＩＤとを対応付けさせることにより、電子チケットを購入した後、携帯電話機４−ｋを変えた場合でも、自分が所有する電子チケットを画面に表示させることができる。
【０２２５】
［２．第２実施形態］
［２．１  第２実施形態の概要］
上記説明した第１実施形態においては、ユーザを特定するために加入者ＩＤを用いていたため、ユーザは、携帯電話機４−ｋを使用しなければ、電子チケットの購入及び表示を行うことができなかった。
【０２２６】
一方、以下に説明する第２実施形態においては、会員ＩＤを用いてユーザを特定するようになっている。従って、ユーザは、携帯電話機４−ｋを使用する必要はなく、例えば、パーソナルコンピュータやＰＤＡ等を用いて電子チケットを使用して電子チケットを購入し、画面に表示させることができる。また、ユーザは、電子チケットの購入する場合と表示させる場合とで、異なる端末装置を使用することができる。ただし、電子チケットをイベント会場で係員に見せるためには、携帯用の端末装置を使用することが必要となる。
【０２２７】
第２実施形態におけるチケット販売システムＳの構成、チケット販売処理サーバ１の構成及び機能、会員情報データベース１０１及びチケット情報データベース１０２に登録される情報の内容、チケットページ２００及び数値設定ページ３００の表示内容等は、基本的に第１実施形態の場合と同様である。ただし、チケット販売システムＳの構成において、本システムを利用可能な端末装置は携帯電話機４−ｋだけに限られるものではない。
【０２２８】
［２．２  チケット販売システムの動作］
次に、電子チケット販売システムＳの動作について説明する。
【０２２９】
なお、イベント開催者が電子チケットを生成するための情報を設定する場合における動作については、第１実施形態と同様であるので、説明を省略する。また、以下の説明において、ユーザは、携帯電話機４−ｋを使用しているものとする。
【０２３０】
［２．２．１  電子チケットの購入］
先ず、ユーザが電子チケットを購入する場合における動作について、図１６を用いて説明する。
【０２３１】
図１６は、第２実施形態に係る電子チケット販売システムＳにおいて、ユーザが電子チケットを購入する場合の処理例を示すフローチャートであり、同図において、図１２と同様の要素については同様の符号を付してある。
【０２３２】
ユーザは、携帯電話機４−ｋを操作し、電子チケットを購入するためにログインすべく、携帯電話機４−ｋを操作すると、図１６に示すように、携帯電話機４−ｋは、ログイン要求をチケット販売処理サーバ１に送信する（ステップＳ２５１）。
【０２３３】
ログイン要求を受信したチケット販売処理サーバ１のシステム制御部２０は、ログイン処理を実行する（ステップＳ２６１）。このログイン処理の内容は、図１５のステップＳ２１１と同様である。
【０２３４】
次いで、システム制御部２０は、チケット購入ページを携帯電話機４−ｋに送信し（ステップＳ６２）、携帯電話機４−ｋは、チケット購入ページを画面に表示する（ステップＳ５２）。
【０２３５】
次いで、携帯電話機４−ｋからチケット購入要求を受信したチケット販売処理サーバ１のシステム制御部２０は（ステップＳ５３、Ｓ６３）、チケット購入処理を実行する（ステップＳ６４）。
【０２３６】
次いで、システム制御部２０は、チケット完了ページを携帯電話機４−ｋに送信し（ステップＳ６５）、携帯電話機４−ｋは、チケット完了ページを画面に表示する（ステップＳ５５）。
【０２３７】
次いで、チケット販売処理サーバ１のシステム制御部２０は、番号Ｍに１を設定し（ステップＳ６６）、Ｍ番目の電子チケットに対して転送先の電子メールアドレスが設定されていない場合には（ステップＳ６７：ＮＯ）、購入者本人用のチケット情報を登録する（ステップＳ２６２）。このとき、システム制御部２０は、Ｍ番目の電子チケットに割り当てたチケットＩＤ、ログイン処理で取得した会員ＩＤ、購入者本人の電子メールアドレス、閲覧回数として０、及び、転送回数として０、を設定したチケット情報を登録する。
【０２３８】
次いで、システム制御部２０は、電子チケット表示用メールを購入者本人宛に送信する（ステップＳ７１）。
【０２３９】
一方、システム制御部２０は、Ｍ番目の電子チケットに対して転送先の電子メールアドレスが設定されている場合には（ステップＳ６７：ＹＥＳ）、転送先用のチケット情報を登録し（ステップＳ７２）、電子チケット表示用メールを転送先宛に送信する（ステップＳ７３）。
【０２４０】
このようにして、システム制御部２０は、購入された電子チケットの枚数分、チケット情報の登録及び電子チケット表示用メールの送信を行う（ステップＳ６７〜Ｓ７５）。
【０２４１】
［２．２．２  電子チケットの表示］
次に、ユーザが電子チケットを画面に表示させる場合における動作について、図１７を用いて説明する。
【０２４２】
図１７は、第２実施形態に係る電子チケット販売システムＳにおいて、ユーザが電子チケットを表示させる場合の処理例を示すフローチャートであり、同図において、図１３と同様の要素については同様の符号を付してある。
【０２４３】
ユーザ操作により（ステップＳ１０１）、携帯電話機４−ｋがチケット表示要求をチケット販売処理サーバ１に送信すると（ステップＳ１０２）、これを受信したチケット販売処理サーバ１のシステム制御部２０は（ステップＳ１１１）、ログイン処理を実行する（ステップＳ３１１）。このログイン処理の内容も、図１５のステップＳ２１１と同様である。
【０２４４】
次いで、システム制御部２０は、チケット表示要求に対応するチケット情報がチケット情報データベース１０２に登録されている場合には（ステップＳ１１２：ＹＥＳ）、次いで、対応するチケット情報に加入者ＩＤが設定されてるか否かを判定する（ステップＳ３１２）。
【０２４５】
このとき、システム制御部２０は、加入者ＩＤが設定されており（ステップＳ３１２：ＹＥＳ）、且つ、ログイン処理で取得した会員ＩＤと、チケット情報に設定されいている会員ＩＤとが一致する場合には（ステップＳ３１３：ＹＥＳ）、ステップＳ１２０に移行する。
【０２４６】
一方、システム制御部２０は、対応するチケット情報に加入者ＩＤが設定されており（ステップＳ３１２：ＮＯ）、且つ、対応するチケット情報に設定されている転送回数Ｐが０回である場合には（ステップＳ１１７：ＮＯ）、取得した会員ＩＤを、対応するチケット情報中に設定し（ステップＳ３１５）、転送回数Ｐに１を加算すると（ステップＳ１１９）、ステップＳ１２０に移行する。
【０２４７】
そして、システム制御部２０は、対応するチケット情報に設定されている閲覧回数Ｎは１０回以上であるか否かを判定し（ステップＳ１２０）、閲覧回数Ｎが１０回未満である場合には（ステップＳ１２０：ＮＯ）、チケットページ生成処理を実行した後（ステップＳ１２１）、生成したチケットページ２００を携帯電話機４−ｋに送信し（ステップＳ１２２）、対応するチケット情報の閲覧回数Ｎに１を加算して（ステップＳ１２３）、処理を終了させる。
【０２４８】
他方、システム制御部２０は、対応するチケット情報が登録されていない場合（ステップＳ１１２：ＮＯ）、会員ＩＤが一致しない場合（ステップＳ３１３：ＮＯ）、転送回数Ｐが１回以上である場合（ステップＳ１１７：ＹＥＳ）、または、閲覧回数Ｎが１０回以上である場合には（ステップＳ１２０：ＹＥＳ）、エラー処理を実行する（ステップＳ１１３）。
【０２４９】
以上説明したように、本実施形態によれば、第１実施形態における効果と同様の効果を奏することができる。
【０２５０】
また、本実施形態では、第１実施形態とは異なり、電子チケットの購入及び表示の際には、システムへのログインを行う必要があるが、携帯電話機以外の端末装置を使用して電子チケットの購入及び表示を行うことができる。
【０２５１】
なお、以上説明した各実施形態においては、チケット情報生成システムを、イベントに関する電子チケットを販売するシステムに適用していたが、例えば、交通機関を利用するための電子チケットを販売するシステムに適用しても良い。
【０２５２】
また、各実施形態において、チケット販売処理サーバ１のシステム制御部２０は、携帯電話機４−ｋからチケット表示要求を受信したときにチケットページ２００を生成していたが、当該ページを生成する時期はこれだけにかぎられるものではない。例えば、電子チケットの購入時に当該ページを生成して、チケットＩＤまたは購入した加入者の加入者ＩＤ等に対応付けてチケット情報データベース１０２に登録しておき、チケット表示要求を受信したときには、チケット情報データベース１０２に登録されているチケットページ２００を送信しても良い。
【図面の簡単な説明】
【０２５３】
【図１】第１実施形態に係る電子チケット販売システムＳの概要構成の一例を示す図である。
【図２】携帯電話機４−ｋの画面に表示されるチケットページ２００の一例を示す図である。
【図３】電子チケットの真贋を判断する方法の一例を説明する図である。
【図４】電子チケットの真贋を判断する方法の一例を説明する図であり、（ａ）は、電子チケットが本物である場合の図であり、（ｂ）は、電子チケットが偽物である場合の図である。
【図５】第１実施形態に係るチケット販売処理サーバ１の概要構成の一例を示すブロック図である。
【図６】会員情報データベース１０１に登録される情報の内容の一例を示す図である。
【図７】チケット情報データベース１０２に登録される情報の内容の一例を示す図である。
【図８】チケット生成情報に設定される内容の一例を示す図である。
【図９】チケット情報に設定される内容の一例を示す図である。
【図１０】第１実施形態に係る電子チケット販売システムＳにおいて、イベント開催者がチケット生成情報を設定する場合の処理例を示すフローチャートである。
【図１１】図１１は、数値設定ページ３００の表示例を示す図である。
【図１２】第１実施形態に係る電子チケット販売システムＳにおいて、ユーザが電子チケットを購入する場合の処理例を示すフローチャートである。
【図１３】第１実施形態に係る電子チケット販売システムＳにおいて、ユーザが電子チケットを表示させる場合の処理例を示すフローチャートである。
【図１４】第１実施形態に係るチケット販売処理サーバ１のシステム制御部２０のチケットページ生成処理における処理例を示すフローチャートである。
【図１５】第１実施形態に係る電子チケット販売システムＳにおいて、電子チケット表示用メールを再送信する場合の処理例を示すフローチャートである。
【図１６】第２実施形態に係る電子チケット販売システムＳにおいて、ユーザが電子チケットを購入する場合の処理例を示すフローチャートである。
【図１７】第２実施形態に係る電子チケット販売システムＳにおいて、ユーザが電子チケットを表示させる場合の処理例を示すフローチャートである。
【符号の説明】
【０２５４】
１  チケット販売処理サーバ
３−ｊ  イベント管理端末
４−ｋ  携帯電話機
１１  操作部
１２  表示部
１３  通信部
１４  ドライブ部
１５  記憶部
１６  入出力インタフェース
１７  ＣＰＵ
１８  ＲＯＭ
１９  ＲＡＭ
２０  システム制御部
２１  システムバス
１０１  会員情報データベース
１０２  チケット情報データベース
ＮＷ  ネットワーク
Ｓ  電子チケット販売システム
【図１】
0005227081.tif 000002
【図２】
0005227081.tif 000003
【図３】
0005227081.tif 000004
【図４】
0005227081.tif 000005
【図５】
0005227081.tif 000006
【図６】
0005227081.tif 000007
【図７】
0005227081.tif 000008
【図８】
0005227081.tif 000009
【図９】
0005227081.tif 000010
【図１０】
0005227081.tif 000011
【図１１】
0005227081.tif 000012
【図１２】
0005227081.tif 000013
【図１３】
0005227081.tif 000014
【図１４】
0005227081.tif 000015
【図１５】
0005227081.tif 000016
【図１６】
0005227081.tif 000017
【図１７】
0005227081.tif 000018